(57)【要約】  ユーザ機器(UE)とネットワークエンティティとの間の初期取得時間を短縮するためにセル選択を実行するための方法および装置であって、少なくとも1つのシステム情報ブロック(SIB)を含むセルからの信号を測定することであって、少なくとも1つのSIBが複数のセル選択しきい値を含むことと、少なくとも1つのSIBの復号を試みることと、少なくとも1つのSIBを首尾よく復号したことに応答して、信号の1つまたは複数の測定値が、複数のセル選択しきい値を含むセル選択基準チェックにおいて合格であるかそれとも不合格であるかを判定することと、セル選択基準チェックにおいて不合格であったことに応答して、複数のセル選択しきい値が複数の対応する最小ネットワークしきい値の範囲内であるかどうかを判定することと、複数のセル選択しきい値が複数の対応する最小ネットワークしきい値の範囲内であると判定したことに応答してセルに対してセル選択手順を実行することとを含む方法および装置について説明する。
2017516393.tif 000002
【特許請求の範囲】
【請求項１】
ユーザ機器(UE)とネットワークエンティティとの間の初期取得時間を短縮するためにワイヤレス通信システムにおいてセル選択を実行する方法であって、
少なくとも1つのシステム情報ブロック(SIB)を含むセルからの信号を測定するステップであって、前記少なくとも1つのSIBは、複数のセル選択しきい値を含むステップと、
前記少なくとも1つのSIBの復号を試みるステップと、
前記少なくとも1つのSIBを首尾よく復号したことに応答して、前記信号の1つまたは複数の測定値が前記複数のセル選択しきい値を含むセル選択基準チェックにおいて合格であるかそれとも不合格であるかを判定するステップと、
前記セル選択基準チェックにおいて不合格であったことに応答して、前記複数のセル選択しきい値が複数の対応する最小ネットワークしきい値の範囲内であるかどうかを判定するステップと、
前記複数のセル選択しきい値が前記複数の対応する最小ネットワークしきい値の範囲内であると判定したことに応答して、前記セルに対してセル選択手順を実行するステップとを含む方法。
【請求項２】
前記セル選択基準チェックにおいて不合格であったことに応答して、前記複数のセル選択しきい値が前記複数の対応する最小ネットワークしきい値の範囲内であるかどうかを判定するステップは、前記複数のセル選択しきい値のうちの1つに関するデルタ値が設定されているかどうかを判定するステップを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項1に記載の方法。
【請求項３】
前記セルが周波数分割二重(FDD)セルであるかどうかを判定するステップと、
前記複数のセル選択しきい値の各々と前記複数の対応する最小ネットワークしきい値の各々との和の絶対値が複数の対応する範囲制御しきい値の各々以下であるかどうかを判定するステップであって、前記複数の対応する範囲制御しきい値は、UE能力、ネットワークプラニング、またはオペレータ設定のうちの少なくとも1つに基づいて設定されるステップとをさらに含む、請求項2に記載の方法。
【請求項４】
前記セルが時分割二重(TDD)セルであるかどうかを判定するステップと、
前記複数のセル選択しきい値のうちの前記1つと前記複数の対応する最小ネットワークしきい値のうちの前記1つとの和の絶対値が対応する範囲制御しきい値以下であるかどうかを判定するステップであって、前記対応する範囲制御しきい値は、UE能力、ネットワークプラニング、またはオペレータ設定のうちの少なくとも1つに基づいて設定されるステップとをさらに含む、請求項2に記載の方法。
【請求項５】
前記複数のセル選択しきい値が前記複数の対応する最小ネットワークしきい値の範囲外であると判定したことに応答して、前記セル選択手順の実行を試みる異なるセルの発見を試みるステップをさらに含む、請求項1に記載の方法。
【請求項６】
前記複数のセル選択しきい値は、前記セルにおける最低所要品質レベルと前記セルにおける最低所要受信レベルとを含む、請求項1に記載の方法。
【請求項７】
前記複数のセル選択しきい値のうちの前記1つは、前記セルにおける最低所要受信レベルを含む、請求項1に記載の方法。
【請求項８】
前記少なくとも1つのSIBの復号を試みるステップは、システム情報ブロック3(SIB3)とシステム情報ブロック4(SIB4)のうちの少なくとも一方または両方の復号を試みるステップを含む、請求項1に記載の方法。
【請求項９】
前記少なくとも1つのSIBの復号を試みるステップは、前記セルの1次共通制御物理チャネル(PCCPCH)上の少なくとも1つのSIBの復号を試みるステップを含む、請求項1に記載の方法。
【請求項１０】
ユーザ機器(UE)とネットワークエンティティとの間の初期取得時間を短縮するためにワイヤレス通信システムにおいてセル選択を実行するためのコンピュータ実行可能コードを記憶するコンピュータ可読媒体であって、
少なくとも1つのシステム情報ブロック(SIB)を含むセルからの信号を測定するためのコードであって、前記少なくとも1つのSIBは、複数のセル選択しきい値を含むコードと、
前記少なくとも1つのSIBの復号を試みるためのコードと、
前記少なくとも1つのSIBを首尾よく復号したことに応答して、前記信号の1つまたは複数の測定値が前記複数のセル選択しきい値を含むセル選択基準チェックにおいて合格であるかそれとも不合格であるかを判定するためのコードと、
前記セル選択基準チェックにおいて不合格であったことに応答して、前記複数のセル選択しきい値が複数の対応する最小ネットワークしきい値の範囲内であるかどうかを判定するためのコードと、
前記複数のセル選択しきい値が前記複数の対応する最小ネットワークしきい値の範囲内であると判定したことに応答して、前記セルに対してセル選択手順を実行するためのコードとを含むコンピュータ可読媒体。
【請求項１１】
前記セル選択基準チェックにおいて不合格であったことに応答して、前記複数のセル選択しきい値が前記複数の対応する最小ネットワークしきい値の範囲内であるかどうかを判定することは、前記複数のセル選択しきい値のうちの1つに関するデルタ値が設定されているかどうかを判定することを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項10に記載のコンピュータ可読媒体。
【請求項１２】
前記セルが周波数分割二重(FDD)セルであるかどうかを判定するためのコードと、
前記複数のセル選択しきい値の各々と前記複数の対応する最小ネットワークしきい値の各々との和の絶対値が複数の対応する範囲制御しきい値の各々以下であるかどうかを判定するためのコードであって、前記複数の対応する範囲制御しきい値は、UE能力、ネットワークプラニング、またはオペレータ設定のうちの少なくとも1つに基づいて設定されるコードとをさらに含む、請求項11に記載のコンピュータ可読媒体。
【請求項１３】
前記セルが時分割二重(TDD)セルであるかどうかを判定するためのコードと、
前記複数のセル選択しきい値のうちの前記1つと前記複数の対応する最小ネットワークしきい値のうちの前記1つとの和の絶対値が対応する範囲制御しきい値以下であるかどうかを判定するためのコードであって、前記対応する範囲制御しきい値は、UE能力、ネットワークプラニング、またはオペレータ設定のうちの少なくとも1つに基づいて設定されるコードとをさらに含む、請求項12に記載のコンピュータ可読媒体。
【請求項１４】
前記複数のセル選択しきい値が前記複数の対応する最小ネットワークしきい値の範囲外であると判定したことに応答して、前記セル選択手順の実行を試みる異なるセルの発見を試みるためのコードをさらに含む、請求項10に記載のコンピュータ可読媒体。
【請求項１５】
前記複数のセル選択しきい値は、前記セルにおける最低所要品質レベルと前記セルにおける最低所要受信レベルとを含み、前記複数のセル選択しきい値のうちの前記1つは、前記セルにおける最低所要受信レベルを含む、請求項10に記載のコンピュータ可読媒体。
【請求項１６】
ユーザ機器(UE)とネットワークエンティティとの間の初期取得時間を短縮するためにワイヤレス通信システムにおいてセル選択を実行するための装置であって、
少なくとも1つのシステム情報ブロック(SIB)を含むセルからの信号を測定するための手段であって、前記少なくとも1つのSIBは、複数のセル選択しきい値を含む手段と、
前記少なくとも1つのSIBの復号を試みるための手段と、
前記少なくとも1つのSIBを首尾よく復号したことに応答して、前記信号の1つまたは複数の測定値が前記複数のセル選択しきい値を含むセル選択基準チェックにおいて合格であるかそれとも不合格であるかを判定するための手段と、
前記セル選択基準チェックにおいて不合格であったことに応答して、前記複数のセル選択しきい値が複数の対応する最小ネットワークしきい値の範囲内であるかどうかを判定するための手段と、
前記複数のセル選択しきい値が前記複数の対応する最小ネットワークしきい値の範囲内であると判定したことに応答して、前記セルに対してセル選択手順を実行するための手段とを備える装置。
【請求項１７】
前記セル選択基準チェックにおいて不合格であったことに応答して、前記複数のセル選択しきい値が前記複数の対応する最小ネットワークしきい値の範囲内であるかどうかを判定することは、前記複数のセル選択しきい値のうちの1つに関するデルタ値が設定されているかどうかを判定することを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項16に記載の装置。
【請求項１８】
前記セルが周波数分割二重(FDD)セルであるかどうかを判定するための手段と、
前記複数のセル選択しきい値の各々と前記複数の対応する最小ネットワークしきい値の各々との和の絶対値が複数の対応する範囲制御しきい値の各々以下であるかどうかを判定するための手段であって、前記複数の対応する範囲制御しきい値は、UE能力、ネットワークプラニング、またはオペレータ設定のうちの少なくとも1つに基づいて設定される手段とをさらに備える、請求項17に記載の装置。
【請求項１９】
前記セルが時分割二重(TDD)セルであるかどうかを判定するための手段と、
前記複数のセル選択しきい値のうちの前記1つと前記複数の対応する最小ネットワークしきい値のうちの前記1つとの和の絶対値が対応する範囲制御しきい値以下であるかどうかを判定するための手段であって、前記対応する範囲制御しきい値は、UE能力、ネットワークプラニング、またはオペレータ設定のうちの少なくとも1つに基づいて設定される手段とをさらに備える、請求項17に記載の装置。
【請求項２０】
前記複数のセル選択しきい値が前記複数の対応する最小ネットワークしきい値の範囲外であると判定したことに応答して、前記セル選択手順の実行を試みる異なるセルの発見を試みるための手段をさらに備える、請求項16に記載の装置。
【請求項２１】
前記複数のセル選択しきい値は、前記セルにおける最低所要品質レベルと前記セルにおける最低所要受信レベルとを含み、前記複数のセル選択しきい値のうちの前記1つは、前記セルにおける最低所要受信レベルを含む、請求項16に記載の装置。
【請求項２２】
ユーザ機器(UE)とネットワークエンティティとの間の初期取得時間を短縮するためにワイヤレス通信システムにおいてセル選択を実行するための装置であって、
少なくとも1つのシステム情報ブロック(SIB)を含むセルからの信号を測定するように構成された測定構成要素であって、前記少なくとも1つのSIBは、複数のセル選択しきい値を含む測定構成要素と、
前記少なくとも1つのSIBの復号を試みるように構成された復号構成要素と、
前記少なくとも1つのSIBを首尾よく復号したことに応答して、前記信号の1つまたは複数の測定値が前記複数のセル選択しきい値を含むセル選択基準チェックにおいて合格であるかそれとも不合格であるかを判定するように構成され、
前記セル選択基準チェックにおいて不合格であったことに応答して、前記複数のセル選択しきい値が複数の対応する最小ネットワークしきい値の範囲内であるかどうかを判定するようにさらに構成された判定構成要素と、
前記複数のセル選択しきい値が前記複数の対応する最小ネットワークしきい値の範囲内であると判定したことに応答して、前記セルに対してセル選択手順を実行するように構成されたセル選択構成要素とを備える装置。
【請求項２３】
前記判定構成要素は、前記複数のセル選択しきい値のうちの1つに関するデルタ値が設定されているかどうかを判定するようにさらに構成され、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項22に記載の装置。
【請求項２４】
前記判定構成要素は、
前記セルが周波数分割二重(FDD)セルであるかどうかを判定することと、
前記複数のセル選択しきい値の各々と前記複数の対応する最小ネットワークしきい値の各々との和の絶対値が複数の対応する範囲制御しきい値の各々以下であるかどうかを判定することであって、前記複数の対応する範囲制御しきい値は、UE能力、ネットワークプラニング、またはオペレータ設定のうちの少なくとも1つに基づいて設定されることとを行うようにさらに構成される、請求項23に記載の装置。
【請求項２５】
前記判定構成要素は、
前記セルが時分割二重(TDD)セルであるかどうかを判定することと、
前記複数のセル選択しきい値のうちの前記1つと前記複数の対応する最小ネットワークしきい値のうちの前記1つとの和の絶対値が対応する範囲制御しきい値以下であるかどうかを判定することであって、前記対応する範囲制御しきい値は、UE能力、ネットワークプラニング、またはオペレータ設定のうちの少なくとも1つに基づいて設定されることとを行うようにさらに構成される、請求項23に記載の装置。
【請求項２６】
前記セル選択構成要素は、前記複数のセル選択しきい値が前記複数の対応する最小ネットワークしきい値の範囲外であると判定したことに応答して、前記セル選択手順の実行を試みる異なるセルの発見を試みるようにさらに構成される、請求項22に記載の装置。
【請求項２７】
前記複数のセル選択しきい値は、前記セルにおける最低所要品質レベルと前記セルにおける最低所要受信レベルとを含む、請求項22に記載の装置。
【請求項２８】
前記複数のセル選択しきい値のうちの前記1つは、前記セルにおける最低所要受信レベルを含む、請求項22に記載の装置。
【請求項２９】
前記復号構成要素は、システム情報ブロック3(SIB3)とシステム情報ブロック4(SIB4)のうちの少なくとも一方または両方を復号するようにさらに構成される、請求項22に記載の装置。
【請求項３０】
前記復号構成要素は、前記セルの1次共通制御物理チャネル(PCCPCH)上の前記少なくとも1つのSIBを復号するようにさらに構成される、請求項22に記載の装置。
【発明の詳細な説明】
【技術分野】
【０００１】
優先権の主張
本特許出願は、いずれも本出願の譲受人に譲渡され、参照により本明細書に明確に援用される、2014年10月27日に出願された「FASTER CELL SELECTION」と題する仮出願第14/524,761号、および2014年4月22日に出願された「METHOD AND APPARATUS FOR FASTER CELL SELECTION」と題する仮出願第61/982,799号に対する優先権を主張する。
【０００２】
本開示の態様は、概してワイヤレス通信システムに関し、より詳細には、ユーザ機器(UE)がシステム情報ブロック(SIB)を首尾よく復号できる場合にセル選択/再選択手順を実行することに関する。
【背景技術】
【０００３】
ワイヤレス通信ネットワークは、テレフォニー、ビデオ、データ、メッセージング、ブロードキャストなどの様々な通信サービスを提供するために広く展開されている。通常、多元接続ネットワークであるそのようなネットワークは、利用可能なネットワークリソースを共有することによって、複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、Universal Mobile Telecommunications System(UMTS)の一部として定義された無線アクセスネットワーク(RAN)である。UMTSは、モバイル通信用グローバルシステム(GSM(登録商標):Global System for Mobile Communications)技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送速度および容量を向上させる、高速パケットアクセス(HSPA)などの拡張3Gデータ通信プロトコルもサポートする。
【０００４】
広帯域符号分割多元接続(WCDMA(登録商標))ネットワークでは、ユニバーサル地上波無線アクセスネットワーク(UTRAN)が、セル選択/再選択手順においてユーザ機器(UE)によって使用されるシステム情報ブロック(SIB)におけるしきい値をブロードキャストする。一態様では、ネットワークは、信号の測定されたレベルがしきい値よりも低い場合に送信された信号を正確にかつ確実に復号する機能をUEが有してないと仮定する場合がある。それにもかかわらず、近年、UE受信機設計が進歩しているので、UEは、ブロードキャストチャネル上のSIBをしきい値によって示されるよりも低い測定レベルで首尾よく復号できる場合がある。しかし、既存の解決策によれば、UEは、信号の測定レベルがしきい値よりも低い場合にセルの登録および/またはキャンプオンを行わない場合があるので、セル選択手順を中止しなければならないことがある。
【先行技術文献】
【非特許文献】
【０００５】
【非特許文献１】RRC Protocol Specification、3GPP TS 25.331 v9.1.0
【発明の概要】
【発明が解決しようとする課題】
【０００６】
したがって、セル選択手順の実行およびワイヤレス通信チャネルの取得開始を改良することが望ましい。
【課題を解決するための手段】
【０００７】
以下では、1つまたは複数の態様の基本的な理解を可能にするために、そのような態様の簡略化された概要を提示する。この概要は、すべての企図された態様の広範な概要ではなく、すべての態様の主要または重要な要素を識別するものでもなく、いずれかまたはすべての態様の範囲を定めるものでもない。その唯一の目的は、後で提示されるより詳細な説明の前置きとして、簡略化された形態で1つまたは複数の態様のいくつかの概念を提示することである。
【０００８】
一態様によれば、本方法は、ユーザ機器(UE)とネットワークエンティティとの間の初期取得時間を短縮するためにワイヤレス通信システムにおいてセル選択を実行することに関連し、少なくとも1つのシステム情報ブロック(SIB)を含むセルからの信号を測定するステップであって、少なくとも1つのSIBが複数のセル選択しきい値を含むステップと、少なくとも1つのSIBの復号を試みるステップと、少なくとも1つのSIBを首尾よく復号したことに応答して、信号の1つまたは複数の測定値が、複数のセル選択しきい値を含むセル選択基準チェックにおいて合格であるかそれとも不合格であるかを判定するステップと、セル選択基準チェックにおいて不合格であったことに応答して、複数のセル選択しきい値が複数の対応する最小ネットワークしきい値の範囲内であるかどうかを判定するステップと、複数のセル選択しきい値が複数の対応する最小ネットワークしきい値の範囲内であると判定したことに応答してセルに対してセル選択手順を実行するステップとを含む。
【０００９】
一態様によれば、コンピュータ実行可能コードを記憶する本コンピュータ可読媒体は、ユーザ機器(UE)とネットワークエンティティとの間の初期取得時間を短縮するためにワイヤレス通信システムにおいてセル選択を実行することに関連し、少なくとも1つのシステム情報ブロック(SIB)を含むセルからの信号を測定するためのコードであって、少なくとも1つのSIBが複数のセル選択しきい値を含むコードと、少なくとも1つのSIBの復号を試みるためのコードと、少なくとも1つのSIBを首尾よく復号したことに応答して、信号の1つまたは複数の測定値が、複数のセル選択しきい値を含むセル選択基準チェックにおいて合格であるかそれとも不合格であるかを判定するためのコードと、セル選択基準チェックにおいて不合格であったことに応答して、複数のセル選択しきい値が複数の対応する最小ネットワークしきい値の範囲内であるかどうかを判定するためのコードと、複数のセル選択しきい値が複数の対応する最小ネットワークしきい値の範囲内であると判定したことに応答してセルに対してセル選択手順を実行するためのコードとを含む。
【００１０】
一態様によれば、本装置は、ユーザ機器(UE)とネットワークエンティティとの間の初期取得時間を短縮するためにワイヤレス通信システムにおいてセル選択を実行することに関連し、少なくとも1つのシステム情報ブロック(SIB)を含むセルからの信号を測定するための手段であって、少なくとも1つのSIBが複数のセル選択しきい値を含む手段と、少なくとも1つのSIBの復号を試みるための手段と、少なくとも1つのSIBを首尾よく復号したことに応答して、信号の1つまたは複数の測定値が、複数のセル選択しきい値を含むセル選択基準チェックにおいて合格であるかそれとも不合格であるかを判定するための手段と、セル選択基準チェックにおいて不合格であったことに応答して、複数のセル選択しきい値が複数の対応する最小ネットワークしきい値の範囲内であるかどうかを判定するための手段と、複数のセル選択しきい値が複数の対応する最小ネットワークしきい値の範囲内であると判定したことに応答してセルに対してセル選択手順を実行するための手段とを備える。
【００１１】
一態様によれば、本装置は、ユーザ機器(UE)とネットワークエンティティとの間の初期取得時間を短縮するためにワイヤレス通信システムにおいてセル選択を実行することに関連し、少なくとも1つのシステム情報ブロック(SIB)を含むセルからの信号を測定するように構成された測定構成要素であって、少なくとも1つのSIBが複数のセル選択しきい値を含む測定構成要素と、少なくとも1つのSIBの復号を試みるように構成された復号構成要素と、少なくとも1つのSIBを首尾よく復号したことに応答して、信号の1つまたは複数の測定値が、複数のセル選択しきい値を含むセル選択基準チェックにおいて合格であるかそれとも不合格であるかを判定するように構成された判定構成要素であって、セル選択基準チェックにおいて不合格であったことに応答して、複数のセル選択しきい値が複数の対応する最小ネットワークしきい値の範囲内であるかどうかを判定するようにさらに構成された判定構成要素と、複数のセル選択しきい値が複数の対応する最小ネットワークしきい値の範囲内であると判定したことに応答してセルに対してセル選択手順を実行するように構成されたセル選択構成要素とを備える。
【００１２】
前述の目的および関連する目的を達成するために、1つまたは複数の態様は、以下に十分に説明し、特許請求の範囲の中で個々に指摘する特徴を備える。以下の説明および添付の図面には、1つまたは複数の態様のいくつかの例示的な特徴が詳細に記載されている。これらの特徴は、しかしながら、様々な態様の原理が利用され得る様々な方法のいくつかしか示しておらず、この説明は、すべてのそのような態様と、それらの等価物とを含むことが意図されている。
【００１３】
本開示の特徴、性質、および利点は、下記の詳細な説明を図面と併せて検討することによってより明らかになろう。図面中、同様の参照符号は、全体を通じて対応する構成要素またはアクションを識別し、破線は、任意の構成要素またはアクションを示す場合がある。
【図面の簡単な説明】
【００１４】
【図１】本開示の態様の例示的なワイヤレスシステムを示す概略図である。
【図２】ワイヤレス通信システムにおける例示的な方法を示す流れ図である。
【図３】ワイヤレスシステムにおける別の例示的な方法を示す流れ図である。
【図４】本開示のセル選択構成要素の一態様の一例を示す概略図である。
【図５】本開示の態様の一例を示す概念図である。
【図６】処理システムを使用する装置のハードウェア実装形態の一例を示すブロック図である。
【図７】通信システムの一例を概念的に示すブロック図である。
【図８】アクセスネットワークの一例を示す概念図である。
【図９】ユーザプレーンおよび制御プレーンの無線プロトコルアーキテクチャの一例を示す概念図である。
【図１０】電気通信システムにおいてUEと通信しているNode Bの一例を概念的に示すブロック図である。
【発明を実施するための形態】
【００１５】
添付の図面に関して以下に記載する詳細な説明は、種々の構成を説明することを意図しており、本明細書に記載される概念を実践することができる唯一の構成を表すことは意図していない。詳細な説明は、様々な概念の完全な理解を可能にするために具体的な詳細を含む。しかしながら、これらの概念がこれらの具体的な詳細を伴わずに実践される場合があることは当業者に明らかであろう。場合によっては、そのような概念を曖昧にすることを回避するために、よく知られている構成要素はブロック図の形態で示されている。一態様では、本明細書で使用する「構成要素」という用語は、システムを構成するパーツのうちの1つであってもよく、ハードウェアまたはソフトウェアであってもよく、他の構成要素に分割されてもよい。
【００１６】
本態様は概して、ユーザ機器(UE)がシステム情報ブロック(SIB)を首尾よく復号することができるときにセル選択/再選択手順を実行することに関する。具体的に言うと、広帯域符号分割多元接続(WCDMA(登録商標))ネットワークでは、ユニバーサル地上波無線アクセスネットワーク(UTRAN)が、セル選択/再選択手順においてUEによって使用されるシステム情報ブロック(SIB)におけるしきい値をブロードキャストする。場合によっては、システム情報ブロック3(SIB3)が、セルにおける最低所要品質レベル(Qqualmin)およびセルにおける最低所要レベル(Qrxlevmin)などのしきい値を含んでもよい。これらのしきい値は、セル選択/再選択を進めるために満たさなければならない、それぞれEc/Ioおよび受信信号コード電力(RSCP)における信号品質および信号レベルに関する最小値を表す場合がある。たとえば、UEは、これらのしきい値をセルからの信号についてのUEによる測定値と比較して、セルが適切であるかどうかを判定するか、あるいは登録および/またはキャンプオンを行わないと判定してもよい。したがって、従来の解決策では、UEがセル選択/再選択手順を進めることを可能にするには、信号の測定レベルがこれらのしきい値よりも高くなければならない。
【００１７】
これらのしきい値はUTRANによって設定されるので、UEの特定のレベルの復号機能が存在するという仮定が存在する。一態様では、ネットワークは、信号の測定レベルがしきい値よりも低い場合に送信された信号を正確にかつ確実に復号する機能をUEが有してないと仮定する場合がある。それにもかかわらず、近年、UE受信機設計が進歩しているので、UEは、ブロードキャストチャネル上のSIBをしきい値によって示されるよりも低い測定レベルで首尾よく復号できる場合がある。しかし、既存の解決策によれば、UEは、信号の測定レベルがしきい値よりも低い場合にセルの登録および/またはキャンプオンを行わない場合があるので、セル選択手順を中止しなければならないことがある。
【００１８】
したがって、いくつかの態様では、本方法および装置は、セルからの信号の測定レベルが(たとえば、SIB3を介して)ネットワークによって供給されるしきい値よりも低い場合でもセルに対してセル選択/再選択手順を実行するのを可能にすることによって、現在の解決策と比較して効率的な解決策を実現する場合がある。その結果、本装置および方法は、初期取得時間を短縮し、かつUEが最初に圏外であった場合に圏外時間を短縮する場合がある。
【００１９】
図1を参照するとわかるように、一態様では、ワイヤレス通信システム10は、信号の測定レベルがセル選択/再選択を進めるための1つまたは複数のしきい値よりも低い場合でもUEによるセルに対するセル選択/再選択手順の実行を可能にするのを容易にするように構成される。説明を単純にするために、手順についてはセル選択に関して説明する。しかし、同じ概念がセル再選択にも当てはまる。ワイヤレス通信システム10は、ネットワークエンティティ12を含むが、それに限定されない1つまたは複数のネットワークエンティティを介して1つまたは複数のネットワーク(たとえば、ネットワーク16)とワイヤレス通信する場合がある少なくとも1つのユーザ機器(UE)11を含む。UE11は、ネットワークエンティティ12を介してネットワーク16と通信してもよい。たとえば、一態様では、ネットワークエンティティ12は、1つまたは複数の信号22(たとえば、パケットデータユニット(PDU))をそれぞれ1つまたは複数の通信チャネル18および/または20を介してUE11との間で送受信するように構成されてもよい。たとえば、1つまたは複数の信号22は、1つまたは複数のSIB24を含んでもよい。
【００２０】
特定の例では、通信チャネル18は、1つまたは複数の信号22が送信される1次共通制御物理チャネル(PCCPCH)であってもよい。一態様では、1つまたは複数の信号22は、SIB24を含んでもよく、より詳細には、システム情報ブロック3(SIB3)およびシステム情報ブロック4(SIB4)を含んでもよい。SIB3およびSIB4は、セルにおける最低所要品質レベル(Qqualmin)およびセルにおける最低所要レベル(Qrxlevmin)などのセル選択しきい値32を含んでもよい。セル選択しきい値32は、セルのネットワークによって設定され、場合によっては、複数の対応する最小ネットワークしきい値34とは異なってもよい。複数の対応する最小ネットワークしきい値34は、ネットワークオペレータまたはベンダーが確定したQqualminおよびQrxlevminの絶対最小値に対応するQqualmin値およびQrxlevmin値を含んでもよい。場合によっては、複数の対応する最小ネットワークしきい値34は、ネットワーク16によって確定され、ネットワークエンティティ12を介してUE11にブロードキャストされてもよい。したがって、UE11は、セル選択しきい値32よりも低い1つまたは複数の信号22のエネルギーレベルを測定することができる場合がある。
【００２１】
一態様では、UE11は、セル選択構成要素30を含んでもよく、セル選択構成要素30は、信号22の測定レベルがワイヤレス通信システム10におけるしきい値よりも低い場合でもUEがセルに対してセル選択手順を実行するのを可能にするように構成されてもよい。詳細には、一態様では、UE11のセル選択構成要素30は、1つまたは複数のSIB24のうちの少なくとも1つのSIBを含むセルからの信号(たとえば、1つまたは複数の信号22のうちの1つ)を測定するように構成されてもよく、少なくとも1つのSIB24は、複数のセル選択しきい値32を含む。さらに、セル選択構成要素30は、少なくとも1つのSIB24の復号を試みるように構成されてもよい。セル選択構成要素30は、少なくとも1つのSIB24を首尾よく復号したことに応答して、信号22の1つまたは複数の測定値が複数のセル選択しきい値32を含むセル選択基準チェックにおいて合格であるかそれとも不合格であるかを判定するように構成されてもよい。さらに、セル選択構成要素30は、セル選択基準チェックにおいて不合格であったことに応答して、複数のセル選択しきい値32が複数の対応する最小ネットワークしきい値34の範囲内であるかどうかを判定するように構成されてもよい。さらに、セル選択構成要素30は、複数のセル選択しきい値32が複数の対応する最小ネットワークしきい値34の範囲内であると判定したことに応答して、セルに対してセル選択手順を実行するように構成されてもよい。別の態様では、セル選択構成要素30は、複数のセル選択しきい値32が複数の対応する最小ネットワークしきい値34の範囲外であると判定したことに応答して、セル選択手順の実行を試みる異なるセルの発見を試みるように構成されてもよい。
【００２２】
さらに、セル選択構成要素30は、複数のセル選択しきい値32のうちの1つに関するデルタ値が設定されているかどうかを判定するように構成されてもよい。詳細には、セル選択基準チェックにおいて不合格であったことに応答して、複数のセル選択しきい値32が複数の対応する最小ネットワークしきい値34の範囲内であるかどうかを判定することは、セル選択構成要素30が、複数のセル選択しきい値32のうちの1つに関するデルタ値が設定されているかどうかを判定することを含む。したがって、セル選択構成要素30は、複数のセル選択しきい値32のうちの1つ(たとえば、Qrxlevmin)に関するデルタ値(たとえば、Delta-Qrxlevmin)が設定されているときに、複数の対応する最小ネットワークしきい値34のうちの1つ(たとえば、Qrxlevmin)が、絶対最小ネットワークしきい値と複数のセル選択しきい値のうちの1つに関するデルタ値との和を含むと判定してもよい。たとえば、デルタ値は、-4に設定されてもよいが、それに限定されない。その結果、セル選択構成要素30は、複数の対応する最小ネットワークしきい値34のうちの1つ(たとえば、初期値が-115dBmであるQrxlevmin)の値は-119dBmと確定してもよい。
【００２３】
同様に、セル選択構成要素30は、複数のセル選択しきい値32のうちの1つに関するデルタ値が設定されていないときに、複数の対応する最小ネットワークしきい値34のうちの1つが、絶対最小ネットワークしきい値を含むと判定してもよい。いくつかの態様では、デルタ値(たとえば、Delta-Qrxlevmin)は、通信チャネル18上の1つまたは複数の信号22の一部としてUE11および/またはセル選択構成要素30によって受信されてもよい。
【００２４】
さらに、セル選択構成要素30は、セルが時分割二重(TDD)セルであるかそれとも周波数分割二重(FDD)セルであるかを判定するように構成されてもよい。たとえば、セル選択構成要素30は、セルがTDDセルであると判定した場合、複数のセル選択しきい値32の各々と複数の対応する最小ネットワークしきい値34の各々との和の絶対値が、複数の対応する範囲制御しきい値の各々以下であるかどうかを判定してもよい。場合によっては、複数の対応する範囲制御しきい値は、UE能力、ネットワークプラニング、およびオペレータ設定のうちの少なくとも1つに基づいて設定される。
【００２５】
一方で、セル選択構成要素30は、セルがTDDセルであると判定した場合、複数のセル選択しきい値32のうちの1つと複数の対応する最小ネットワークしきい値34のうちの1つとの和の絶対値が、対応する範囲制御しきい値以下であるかどうかを判定してもよい。
【００２６】
UE11は、モバイル装置を備えてもよく、本開示全体にわたってそのように呼ばれることがある。そのようなモバイル装置またはUE11は、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアントと呼ばれるか、または何らかの他の適切な用語で呼ばれることもある。
【００２７】
加えて、限定はしないが、ワイヤレス通信システム10のネットワークエンティティ12を含む1つまたは複数のワイヤレスノードは、基地局またはNode Bを含むアクセスポイント、リレー、ピアツーピアデバイス、認証、許可、課金(AAA)サーバ、モバイル交換センター(MSC)、無線ネットワークコントローラ(RNC)などの任意のタイプのネットワーク構成要素のうちの1つまたは複数を含んでもよい。さらなる態様において、ワイヤレス通信システム10の1つまたは複数のワイヤレスサービングノードは、フェムトセル、ピコセル、マイクロセル、またはマクロ基地局と比較して、比較的低い送信電力もしくは比較的小さいカバレージエリアを有する他の任意の基地局などであるが、それらに限定されない、1つまたは複数の小規模セル基地局を含んでもよい。
【００２８】
本方法について、説明を簡単にするために、図2を参照して、一連の行為として例示し説明する。しかし、いくつかの行為は、1つまたは複数の態様に従って、本明細書において図示し説明する順序とは異なる順序で行われ、かつ/または本明細書において図示し説明する以外の行為と同時に行われる場合があるので、本方法(および本方法に関連するさらなる方法)が、行為の順序によって制限されることがないことを理解し、諒解されたい。たとえば、本方法は、代わりに、状態図などにおいて、一連の相互に関係する状態またはイベントとして表される場合があることを諒解されたい。さらに、本明細書で説明する1つまたは複数の特徴に従って方法を実施するために、示されたすべての行為が必要とされるとは限らない。
【００２９】
一動作態様では、UE11(図1)などのUEは、信号22の測定レベルがワイヤレス通信システム10におけるしきい値(たとえば、セル選択しきい値32)よりも低い場合でもUEがセルに対してセル選択手順を実行するのを可能にするための方法100の一態様を実行してもよい。
【００３０】
ブロック102において、方法100は、少なくとも1つのSIBを含むセルからの信号を測定することを含んでもよく、少なくとも1つのSIBは、複数のセル選択しきい値を含む。たとえば、本明細書において説明するように、UE11(図1)は、少なくとも1つのSIB24を含むセルからの信号22を測定するためにセル選択構成要素30を実行してもよく、少なくとも1つのSIB24は、複数のセル選択しきい値32を含む。
【００３１】
一態様では、ブロック104において、方法100は、少なくとも1つのSIBの復号を試みることを含んでもよい。たとえば、本明細書において説明するように、UE11(図1)は、少なくとも1つのSIB24の復号を試みるためにセル選択構成要素30を実行してもよい。
【００３２】
ブロック106において、方法100は、少なくとも1つのSIBを首尾よく復号したことに応答して、信号の1つまたは複数の測定値が複数のセル選択しきい値を含むセル選択基準チェックにおいて合格であるかそれとも不合格であるかを判定することを含んでもよい。たとえば、本明細書において説明するように、UE11(図1)は、少なくとも1つのSIB24を首尾よく復号したことに応答して、信号22の1つまたは複数の測定値が複数のセル選択しきい値32を含むセル選択基準チェックにおいて合格であるかそれとも不合格であるかを判定するためにセル選択構成要素30を実行してもよい。
【００３３】
さらに、ブロック108において、方法100は、セル選択基準チェックにおいて不合格であったことに応答して、複数のセル選択しきい値が複数の対応する最小ネットワークしきい値の範囲内であるかどうかを判定することを含んでもよい。たとえば、本明細書において説明するように、UE11(図1)は、セル選択基準チェックにおいて不合格であったことに応答して、複数のセル選択しきい値32が複数の対応する最小ネットワークしきい値34の範囲内であるかどうかを判定するためにセル選択構成要素30を実行してもよい。
【００３４】
その後、ブロック110において、方法100は、複数のセル選択しきい値が複数の対応する最小ネットワークしきい値の範囲内であると判定したことに応答して、セルに対してセル選択手順を実行することを含んでもよい。たとえば、本明細書において説明するように、UE11(図1)は、複数のセル選択しきい値32が複数の対応する最小ネットワークしきい値34の範囲内であると判定したことに応答してセルに対してセル選択手順を実行するためにセル選択構成要素30を実行してもよい。
【００３５】
図3および図4を参照しながら、1つまたは複数の方法およびこれらの方法のアクションまたは機能を実行する場合がある1つまたは複数の構成要素を参照して、本装置および方法によるセル選択構成要素30(図1)の態様の1つまたは複数の動作の一例について説明する。後述の動作は、特定の順序において、および/または例示的な構成要素によって実行されるものとして提示されるが、アクションの順序およびアクションを実行する構成要素は、実装形態に応じて異なる場合があることを理解されたい。その上、以下のアクションまたは機能は、特別にプログラムされたプロセッサ、特別にプログラムされたソフトウェアもしくはコンピュータ可読媒体を実行するプロセッサ、または前述のアクションもしくは機能を実行することが可能なハードウェア構成要素および/もしくはソフトウェア構成要素の任意の他の組合せによって実行されてもよいことを理解されたい。
【００３６】
特定の態様では、ワイヤレス通信の方法200は、ブロック202(図3)においてPCCPCHを復号することを含む。一態様では、たとえば、セル選択構成要素30は、1つまたは複数の信号22が送信される1次共通制御物理チャネル(PCCPCH)であってもよい通信チャネル18などの通信チャネル上の1つまたは複数の信号22を測定するために測定構成要素40(図4)を実行してもよい。一態様では、1つまたは複数の信号22は、1つまたは複数のSIB、SIBN 24を含んでもよい。各SIBのセル選択しきい値32は、そのSIBが復号構成要素50によって首尾よく復号された後に確定されてもよい。場合によっては、複数の対応する最小ネットワークしきい値34は、ネットワーク16によって確定され、たとえば、SIB3および/またはSIB4などのSIBメッセージとして、ネットワークエンティティ12を介してUE11にブロードキャストされてもよい。したがって、UE11および/または測定構成要素40は、1つまたは複数の信号22のエネルギーレベルを測定し、通信チャネル18(たとえば、PCCPCH)上の信号22を測定することによってエネルギーレベルがセル選択しきい値32よりも低いかどうかを判定することが可能であってもよい。たとえば、測定構成要素40は、1つまたは複数の信号22のエネルギーレベルを測定してもよく、この測定は、品質レベル42(たとえば、Qqualmin)および受信レベル44(たとえば、Qrxlevmin)を含んでもよい。
【００３７】
一態様では、1つまたは複数の信号22が測定構成要素40によって測定された後、セル選択構成要素30は、少なくとも1つのSIBN 24の復号を試みるために復号構成要素50を実行してもよい。たとえば、SIBN 24は、システム情報ブロック-3(SIB3)56およびシステム情報ブロック-4(SIB4)58を含む複数のSIBに相当してもよい。したがって、信号22のうちの1つが復号構成要素50によって首尾よく復号されるとき、SIB3 56および/またはSIB4 58を含むいくつかのSIBN 24が首尾よく復号される。首尾よく復号された後、SIB3および/またはSIB4 58に関するセルにおける最低所要品質レベル36(Qqualmin)およびセルにおける最低所要受信レベル(Qrxlevmin)38を含む対応するセル選択しきい値32が判明する。いくつかの例では、セル選択しきい値32は、セルのネットワーク16(図1)によって構成されてもよく、場合によっては、複数の対応する最小ネットワークしきい値34とは異なってもよい。一態様では、複数の対応する最小ネットワークしきい値34は、ネットワークオペレータまたはベンダーが確定したQqualminおよびQrxlevminの絶対最小値にそれぞれ対応する絶対最低品質しきい値70および絶対最低受信しきい値72を含んでもよい。
【００３８】
ブロック204において、方法200の一態様は、少なくとも1つのSIBが首尾よく復号されたかどうかを判定することをさらに含んでもよい。一態様では、たとえば、セル選択構成要素30は、復号構成要素50が少なくとも1つのSIBを首尾よく復号したかどうかを判定するために判定構成要素60(図4)を実行してもよい。たとえば、復号構成要素50は、SIBN 24のうちの1つ(たとえば、SIB3 56および/またはSIB4 58)が首尾よく復号された場合に成功指示52の生成および/または送信を行ってもよい。さらに、復号構成要素50は、SIBN 24のうちの1つ(たとえば、SIB3 56および/またはSIB4 58)が首尾よく復号されなかった場合に失敗指示54の生成および/または送信を行ってもよい。別の態様では、ネットワークエンティティ12はタイマーを備えてもよく、このタイマーは、肯定応答メッセージ(たとえば、ACKおよび/またはNACK)が満了する前に受信されない場合に満了するように設定される。タイマーがACKおよび/またはNACKを受信する前に満了した場合、ネットワークエンティティ12は、UE11および/またはセル選択構成要素30に失敗指示54を送信してもよい。したがって、判定構成要素60は、成功指示52または失敗指示54を受信し、少なくとも1つのSIBが首尾よく復号されたか否かを判定してもよい。セル選択構成要素30および/または判定構成要素60が失敗指示54を受信した場合、方法200はブロック220に進んでもよい。セル選択構成要素30および/または判定構成要素60が成功指示52を受信し、少なくとも1つのSIBが首尾よく復号されたと判定した場合、方法200はブロック206に進んでもよい。
【００３９】
さらに、ブロック206において、方法200の一態様は、セル選択基準チェックに合格したかどうかを判定することを含んでもよい。一態様では、たとえば、セル選択構成要素30は、セル選択基準チェック62を実行するために判定構成要素60(図4)を実行してもよい。たとえば、セル選択基準チェック62は、測定品質レベル42および測定受信レベル44ならびに最低品質レベル36および最低受信レベル38に基づくセル選択品質値(dB)およびセル選択受信レベル値(dB)を求めることを含んでもよい。場合によっては、測定品質レベル42が最低品質レベル36以上であり、測定受信レベル44が最低受信レベル38以上である場合、判定構成要素60は、セル選択基準チェック62に合格したことを示す成功指示64を生成してもよい。しかし、測定品質レベル42が最低品質レベル36よりも低く、測定受信レベル44が最低受信レベル38よりも低い場合、判定構成要素60は、セル選択基準チェック62に失敗したことを示す失敗指示66を生成してもよい。セル選択構成要素30および/または判定構成要素60が失敗指示66を生成した場合、方法200はブロック210に進んでもよい。セル選択構成要素30および/または判定構成要素60が成功指示64を生成し、セル選択基準チェック62に合格したと判定した場合、方法200はブロック222に進んでもよい。
【００４０】
さらに、ブロック207において、方法200は、ブロック212および/または214の前の任意の点において、セルが時分割二重(TDD)セルであるかそれとも周波数分割二重(FDD)セルであるかを判定するステップを任意に含んでもよい。たとえば、判定構成要素60は、セルがTDDセル74であると判定した場合、最小ネットワークしきい値34を絶対最低品質しきい値70と絶対最低受信しきい値72の両方を含むように設定してもよい。反対に、判定構成要素60は、セルがFDDセル76であると判定した場合、最小ネットワークしきい値34を絶対最低受信しきい値72のみを含むように設定してもよい。場合によっては、絶対最低品質しきい値70および絶対最低受信しきい値72は、UE能力、ネットワークプラニング、およびオペレータ設定のうちの少なくとも1つに基づいて設定される。
【００４１】
ブロック208において、方法200の一態様は、複数のセル選択しきい値が複数の対応する最小ネットワークしきい値の範囲内であるかどうかを判定するための1つまたは複数のアクションを任意に含んでもよい。一態様では、たとえば、セル選択構成要素30は、複数のセル選択しきい値32が複数の対応する最小ネットワークしきい値34の範囲内であるかどうかを判定するために判定構成要素60(図4)を実行してもよい。たとえば、判定構成要素60は、最低品質レベル36および最低受信レベル38がそれぞれ絶対最低品質しきい値70および絶対最低受信しきい値72の範囲内であるかどうかを判定してもよい。さらに、ブロック208は、複数のセル選択しきい値32が複数の対応する最小ネットワークしきい値34の範囲内であるかどうかを判定する詳細な手順に対応するブロック210〜218を含んでもよい。
【００４２】
より具体的には、たとえば、ブロック210において、方法200の一態様は、デルタ値が設定されているかどうかを判定することを含んでもよい。一態様では、たとえば、セル選択構成要素30は、デルタ値68が設定されているかどうかを判定するために判定構成要素60(図4)を実行してもよい。たとえば、判定構成要素60は、複数のセル選択しきい値32のうちの1つ(たとえば、最低受信レベル38)に関するデルタ値68(たとえば、Delta-Qrxlevmin)が設定されているときに、複数の対応する最小ネットワークしきい値34のうちの1つ(たとえば、絶対最低受信しきい値72)が絶対最低受信しきい値72とデルタ値68との和を含むと判定してもよい。たとえば、デルタ値68は、限定はしないが、値-4などのネットワーク最小しきい値を確定するのに十分な値になるように構成されてもよい。その結果、判定構成要素60は、絶対最低受信しきい値72(たとえば、限定はしないが、初期値が-115dBmであるQrxlevmin)は値が-119dBmであると確定してもよい。同様に、判定構成要素60は、複数のセル選択しきい値32のうちの1つに関するデルタ値が設定されていないときに、複数の対応する最小ネットワークしきい値34のうちの1つが、絶対最小ネットワークしきい値のみを含むと判定してもよい。たとえば、非限定的な一例では、デルタ値68が設定されないときには絶対最低受信しきい値72(たとえば、Qrxlevmin)の値は-115dBmである。いくつかの態様では、デルタ値68(たとえば、Delta-Qrxlevmin)は、通信チャネル18上の、1つまたは複数のSIBを介した、1つまたは複数の信号22の一部としてUE11および/またはセル選択構成要素30によって受信されてもよい。デルタ値68が設定されない場合、方法200は、ブロック212に進んでもよく、セル選択構成要素30は、特に絶対最低受信しきい値72を含みデルタ値68を含まない最小ネットワークしきい値34を使用する。デルタ値68が設定される場合、方法200は、ブロック214に進んでもよく、セル選択構成要素30は、特に絶対最低受信しきい値72とデルタ値68とを含む最小ネットワークしきい値34を使用する。
【００４３】
さらに、ブロック212において、方法200の一態様は、複数のセル選択しきい値の各々と、デルタ値を含まない複数の対応する最小ネットワークしきい値の各々との和の絶対値が、対応する範囲制御しきい値以下であるかどうかを判定することを含んでもよい。一態様では、たとえば、セルがFDDセル76として構成されている場合、セル選択構成要素30は、最低品質レベル36と絶対最低品質しきい値70との和の絶対値が第1の範囲しきい値78以下であるかどうか、および最低受信レベル38と、デルタ値68を含まない絶対最低受信しきい値72との和の絶対値が、第2の範囲しきい値80以下であるかどうかを判定するために判定構成要素60(図4)を実行してもよい。別の態様では、たとえば、セルがTDDセル74として構成されている場合、セル選択構成要素30は、デルタ値68を含まない最低受信レベル38と絶対最低受信しきい値72との和の絶対値が第2の範囲しきい値80以下であるかどうかのみを判定するために判定構成要素60(図4)を実行してもよい。判定構成要素60が、複数のセル選択しきい値の各々と、デルタ値を含まない複数の対応する最小ネットワークしきい値の各々との和の絶対値が、対応する範囲制御しきい値以下であると判定した場合、方法200は次にブロック218に進んでもよい。しかし、判定構成要素60が、複数のセル選択しきい値の各々と、デルタ値を含まない複数の対応する最小ネットワークしきい値の各々との和の絶対値が、対応する範囲制御しきい値よりも大きいと判定した場合、方法200は次にブロック216に進んでもよい。
【００４４】
さらに、ブロック214において、方法200の一態様は、複数のセル選択しきい値のうちの1つと、デルタ値を含む複数の対応する最小ネットワークしきい値のうちの1つとの和の絶対値が、対応する範囲制御しきい値以下であるかどうかを判定することを含んでもよい。一態様では、たとえば、セルがFDDセル76として構成されている場合、セル選択構成要素30は、最低品質レベル36と絶対最低品質しきい値70との和の絶対値が第1の範囲しきい値78以下であるかどうか、および最低受信レベル38と、デルタ値68を含む絶対最低受信しきい値72との和の絶対値が、第2の範囲しきい値80以下であるかどうかを判定するために判定構成要素60(図4)を実行してもよい。別の態様では、たとえば、セルがTDDセル74として構成されている場合、セル選択構成要素30は、デルタ値68を含む最低受信レベル38と絶対最低受信しきい値72との和の絶対値が第2の範囲しきい値80以下であるかどうかのみを判定するために判定構成要素60(図4)を実行してもよい。判定構成要素60が、複数のセル選択しきい値32の各々と、デルタ値68を含む複数の対応する最小ネットワークしきい値34の各々との和の絶対値が、対応する範囲制御しきい値以下であると判定した場合、方法200は次にブロック218に進んでもよい。しかし、判定構成要素60が、複数のセル選択しきい値32の各々と、デルタ値68を含む複数の対応する最小ネットワークしきい値34の各々との和の絶対値が、対応する範囲制御しきい値よりも大きいと判定した場合、方法200は次にブロック216に進んでもよい。
【００４５】
したがって、ブロック208の結果は、複数のセル選択しきい値32が複数の対応する最小ネットワークしきい値34の範囲内であるかどうかに対応する偽(たとえば、ブロック216)または真(たとえば、ブロック218)の表示を含んでもよい。場合によっては、セル選択構成要素30は、ブロック208の結果に基づいてセル選択手順82を開始するかどうかを判定してもよい。
【００４６】
ブロック220および222において、方法200の一態様は、複数のセル選択しきい値が複数の対応する最小ネットワークしきい値の範囲内であるかどうかの判定が不合格であるかそれとも合格であるかを確定することを含んでもよい。一態様では、たとえば、ブロック220において「不合格」に対応する場合、セル選択構成要素30は、複数のセル選択しきい値32が複数の対応する最小ネットワークしきい値34の範囲外であると判定したことに応答して、セル選択手順82の実行を試みる異なるセルの発見を試みてもよい。別の態様では、たとえば、ブロック222において「合格」に対応する場合、セル選択構成要素30は、複数のセル選択しきい値32が複数の対応する最小ネットワークしきい値34の範囲内であると判定したことに応答して、セルに対してセル選択手順82を実行するように構成されてもよい。
【００４７】
図5は、セル内の信号22のセル選択Rxレベル値(Qrxlev)302を測定し、Qrxlev302を対応するセル選択しきい値32と比較して、対応するセル選択しきい値32が複数の対応する最小ネットワークしきい値34の範囲内であるかどうかを判定するセル選択構成要素30を備える、UE11(図1)などのUEの一例を示す概念図300である。たとえば、しきい値304は、セル選択構成要素30によって復号される複数のセル選択しきい値32のうちの1つ(たとえば、Qrxlevmin)であってもよい。この例では、しきい値304はQrxlevminとDelta-Qrxlevminとの和に相当すると仮定される。さらに、しきい値306は、複数の対応する最小ネットワークしきい値34のうちの1つであってもよい。場合によっては、限定的なものと解釈すべきではない一例では、しきい値306の値は-119dBmであってもよい。さらに、しきい値308は、複数の対応する範囲制御しきい値310のうちの1つによって定義される値の範囲の上限であってもよい。いくつかの例では、限定的なものと解釈すべきではない一例では、複数の対応する最小ネットワークしきい値34は、Qqualminについての値-24dBとQrxlevminについての値-115dBmを含んでもよい。いくつかの態様において、限定的なものと解釈すべきではない一例では、デルタ値に応じて、複数の対応する最小ネットワークしきい値34のQrxlevmin特性に-119dBmまでの値を有させる場合があるデルタ値(たとえばDelta-Qrxlevmin)が設定されてもよい。場合によっては、限定的なものと解釈すべきではない一例では、セル選択構成要素30は、Delta-Qrxlevminが受信されていないときにQrxlevminを値-115dBmを維持するように設定してもよい。
【００４８】
一態様では、セル選択構成要素30は、しきい値304としきい値302との和の絶対値が対応する範囲制御しきい値310以下であるかどうかを判定してもよい。したがって、セル選択構成要素30は、Qrxlev302は、通常、セル選択を進めるのに必要な最小しきい値であるしきい値304よりも低いが、しきい値304はしきい値306の範囲310の範囲内であると判定してもよい。セル選択構成要素30は、その結果としてセルに対してセル選択手順を実行するように構成されてもよい。言い換えれば、Qrxlev302が、通常セル選択を進めるための最低レベルと考えられるよりも低いにもかかわらず、本態様によれば、UE11は、SIBを復号できる限りセル選択を進めてもよく、したがって、しきい値304を範囲310の範囲内であると特定し、しきい値304が絶対最低レベル、たとえば、しきい値306に十分に近い値であり、ネットワークが、トラフィックの管理または他のネットワーク管理を目的としてしきい値304を使用していないことを示す。この例では、Qrxlevを利用しているが、一態様では、UE11がQrxlevとQqualの両方に基づいて上記の判定を下すことに留意されたい。
【００４９】
図6は、処理システム414を使用する装置400のハードウェア実装形態の一例を示すブロック図であり、装置400は、UE11(図1)であってもよく、あるいはUE11に含められてもよく、装置400は、本明細書において説明するアクションを実行するためのセル選択構成要素30を備える。この例において、処理システム414は、バス402によって全体的に表されるバスアーキテクチャとともに実装されてもよい。バス402は、処理システム414の特定の用途および全体的な設計制約に応じて、任意の数の相互接続するバスおよびブリッジを含む場合がある。バス402は、プロセッサ404によって包括的に表される1つまたは複数のプロセッサ、およびコンピュータ可読媒体406によって包括的に表されるコンピュータ可読媒体を含む種々の回路を互いにリンクさせる。バス402は、タイミングソース、周辺機器、電圧調整器、および電力管理回路などの様々な他の回路をリンクさせてもよいが、これらの回路は当技術分野でよく知られており、したがって、これ以上は説明しない。バスインターフェース408は、バス402とトランシーバ410との間のインターフェースを構成する。トランシーバ410は、送信媒体を通じて様々な他の装置と通信するための手段を提供する。装置の性質に応じて、ユーザインターフェース412(たとえば、キーパッド、ディスプレイ、スピーカー、マイクロフォン、ジョイスティック)が設けられてもよい。
【００５０】
プロセッサ404は、バス402を管理することと、コンピュータ可読媒体406上に記憶されたソフトウェアの実行を含む一般的な処理とを担う。ソフトウェアは、プロセッサ404によって実行されたとき、任意の特定の装置用の以下に記載される様々な機能を処理システム414に実行させる。コンピュータ可読媒体406は、ソフトウェアを実行するときにプロセッサ404によって操作されるデータを記憶するために使用される場合もある。セル選択構成要素30は、プロセッサ404および/またはコンピュータ可読媒体406の一部であってもよい。
【００５１】
本開示全体にわたって提示される様々な概念は、幅広い種類の電気通信システム、ネットワークアーキテクチャ、および通信規格にわたって実施されてもよい。限定ではなく例として、図7に示す本開示の態様は、W-CDMAエアインターフェースを利用するUMTSシステム500を参照して提示される。この場合、ユーザ機器510は、図1のUE11と同じまたは同様であってもよく、本明細書において説明するようなセル選択構成要素30を含んでもよい。UMTSネットワークは、コアネットワーク(CN)504、UMTS地上波無線アクセスネットワーク(UTRAN)502、およびユーザ機器(UE)510という3つの相互作用するドメインを含む。この例では、UTRAN502は、テレフォニー、ビデオ、データ、メッセージング、ブロードキャスト、および/または他のサービスを含む様々なワイヤレスサービスを提供する。UTRAN502は、無線ネットワークコントローラ(RNC)506などのそれぞれのRNCによって各々が制御される、複数の無線ネットワークサブシステム(RNS)507などのRNSを含んでもよい。ここで、UTRAN502は、本明細書で示されるRNC506およびRNS507に加えて、任意の数のRNC506およびRNS507を含んでもよい。RNC506は、とりわけ、RNS507内で無線リソースを割り当て、再構成し、かつ解放する役割を果たす装置である。RNC506は、任意の適切なトランスポートネットワークを使用して、直接の物理接続、仮想ネットワークなどの様々なタイプのインターフェースを介して、UTRAN502内の他のRNC(図示せず)に相互接続されてもよい。
【００５２】
UE510とNode B508との間の通信は、物理(PHY)レイヤと媒体アクセス制御(MAC)レイヤとを含むものと見なされてもよい。さらに、それぞれのNode B508によるUE510とRNC506との間の通信は、無線リソース制御(RRC)レイヤを含むものと見なされてもよい。本明細書では、PHYレイヤはレイヤ1と見なされてもよく、MACレイヤはレイヤ2と見なされてもよく、RRCレイヤはレイヤ3と見なされてもよい。以下の情報では、参照により本明細書に組み込まれるRRC Protocol Specification、3GPP TS 25.331 v9.1.0に紹介されている用語を利用する。
【００５３】
RNS507によってカバーされる地理的領域は、いくつかのセルに分割されてもよく、無線トランシーバ装置が各セルにサービスする。無線トランシーバ装置は通常、UMTS用途ではNode Bと呼ばれるが、当業者によって、基地局(BS)、基地局装置(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。説明を明快にするために、各RNS507に3つのNode B508が示されているが、RNS507は、任意の数のワイヤレスNode Bを含んでもよい。Node B508は、ワイヤレスアクセスポイントを任意の数のモバイル装置のためのCN504に提供する。モバイル装置の例は、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲームコンソール、または任意の他の同様の機能デバイスを含む。モバイル装置は、通常、UMTS用途ではUEと呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な用語で呼ばれることもある。UMTSシステムでは、UE510は、ネットワークへのユーザの加入情報を含むユニバーサル加入者識別モジュール(USIM)511をさらに含んでもよい。説明のために、1つのUE510がいくつかのNode B508と通信しているように示されている。順方向リンクとも呼ばれるDLは、Node B508からUE510への通信リンクを指し、逆方向リンクとも呼ばれるULは、UE510からNode B508への通信リンクを指す。
【００５４】
CN504は、UTRAN502などの1つまたは複数のアクセスネットワークとインターフェースをとる。示されるように、CN504は、GSM(登録商標)コアネットワークである。しかしながら、当業者が認識するように、UEがGSM(登録商標)ネットワーク以外のタイプのCNにアクセスするのを可能にするために、本開示全体にわたって提示される様々な概念は、RANまたは他の適切なアクセスネットワークにおいて実施されてもよい。
【００５５】
CN504は、回線交換(CS)領域とパケット交換(PS)領域とを含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)と、ゲートウェイGPRSサポートノード(GGSN)とを含む。EIR、HLR、VLR、およびAuCのようないくつかのネットワーク要素は、回線交換ドメインとパケット交換ドメインとの両方によって共有されてもよい。示される例では、CN504は、MSC512およびGMSC514によって回線交換サービスをサポートする。いくつかの適用例では、GMSC514は、メディアゲートウェイ(MGW)と呼ばれてもよい。RNC506などの1つまたは複数のRNCが、MSC512に接続されてもよい。MSC512は、呼設定、呼ルーティング、およびUEモビリティ機能を制御する装置である。MSC512は、UEがMSC512のカバレッジエリア中にある間に加入者関連の情報を格納するVLRも含む。GMSC514は、UEが回線交換ネットワーク516にアクセスするための、MSC512を通じたゲートウェイを提供する。GMSC514は、特定のユーザが加入したサービスの詳細を反映するデータなどの加入者データを含む、ホームロケーションレジスタ(HLR)515を含む。HLRはまた、加入者固有の認証データを含む認証センター(AuC)と関連付けられる。特定のUE向けの呼が受信されると、GMSC514は、UEの位置を決定するためにHLR515に問い合わせ、その位置においてサービスする特定のMSCに呼を転送する。
【００５６】
CN504はまた、サービングGPRSサポートノード(SGSN)518およびゲートウェイGPRSサポートノード(GGSN)520によって、パケットデータサービスをサポートする。汎用パケット無線サービスを表すGPRSは、標準の回線交換データサービスで利用可能な速度よりも速い速度でパケットデータサービスを提供するように設計されている。GGSN520は、パケットベースネットワーク522へのUTRAN502の接続を可能にする。パケットベースネットワーク522は、インターネット、プライベートデータネットワーク、または他の何らかの適切なパケットベースネットワークであってもよい。GGSN520の主要な機能は、UE510に対してパケットベースのネットワーク接続を可能にすることである。データパケットは、MSC512が回線交換領域において実行するのと同じ機能をパケットベース領域において主に実行するSGSN518を通じて、GGSN520とUE510との間で転送されてもよい。
【００５７】
UMTSのエアインターフェースは、スペクトル拡散直接シーケンス符号分割多元接続(DS-CDMA)システムを利用してもよい。スペクトル拡散DS-CDMAは、チップと呼ばれる擬似ランダムビットのシーケンスとの乗算を介してユーザデータを拡散する。UMTSの「広帯域」W-CDMAエアインターフェースは、そのような直接シーケンススペクトル拡散技術に基づいており、加えて周波数分割複信(FDD)を必要とする。FDDは、Node B508とUE510との間のULおよびDLに異なる搬送波周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指す場合があるが、基礎をなす原理はTD-SCDMAエアインターフェースに同様に適用可能である場合があることが、当業者には認識されよう。
【００５８】
HSPAエアインターフェースは、スループットの向上およびレイテンシの低減を容易にする、3G/W-CDMAエアインターフェースに対する一連の拡張を含む。前のリリースに対する修正の中でもとりわけ、HSPAは、ハイブリッド自動再送要求(HARQ)、チャネル送信の共有、ならびに適応変調およびコーディングを利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００５９】
HSDPAは、そのトランスポートチャネルとして高速ダウンリンク共有チャネル(HS-DSCH)を利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００６０】
これらの物理チャネルの中でも、HS-DPCCHは、対応するパケット送信の復号が成功したかどうかを示すために、HARQ ACK/NACKシグナリングをアップリンク上で搬送する。つまり、ダウンリンクに関して、UE510は、ダウンリンク上のパケットを正常に復号したかどうかを示すために、HS-DPCCHを通じてフィードバックをNode B508に与える。
【００６１】
HS-DPCCHはさらに、変調方式とコーディング方式の選択、およびプリコーディングの重みの選択に関して、Node B508が正しい決定を行うのを支援するための、UE510からのフィードバックシグナリングを含み、このフィードバックシグナリングはCQIおよびPCIを含む。
【００６２】
「HSPA Evolved」またはHSPA+は、MIMOおよび64-QAMを含むHSPA規格の拡張規格であり、スループットの増大およびパフォーマンスの向上を可能にする。つまり、本開示のある態様では、Node B508および/またはUE510は、MIMO技術をサポートする複数のアンテナを有してもよい。MIMO技術の使用により、Node B508は空間領域を活用して、空間多重化、ビームフォーミング、および送信ダイバーシティをサポートすることが可能になる。
【００６３】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００６４】
空間多重化は、同じ周波数で同時にデータの様々なストリームを送信するために使用されてもよい。データストリームは、データレートを向上させるために単一のUE510に送信されてよく、または、全体的なシステム容量を増大させるために複数のUE510に送信されてよい。これは、各データストリームを空間的にプリコーディングし、次いで空間的にプリコーディングされた各ストリームをダウンリンク上で異なる送信アンテナを通じて送信することによって達成される。空間的にプリコーディングされたデータストリームは、様々な空間シグニチャを伴いUE510に到着し、これによりUE510の各々は、そのUE510に向けられた1つまたは複数のデータストリームを回復することが可能になる。アップリンク上では、各UE510は、1つまたは複数の空間的にプリコーディングされたデータストリームを送信してもよく、これによりNode B508は、空間的にプリコーディングされた各データストリームのソースを特定することが可能になる。
【００６５】
空間多重化は、チャネル状態が良好なときに使用されてもよい。チャネル状態がさほど好ましくないときは、送信エネルギーを1つもしくは複数の方向に集中させるために、またはチャネルの特性に基づいて送信を改善するために、ビームフォーミングが使用されてもよい。このことは、複数のアンテナを介して送信するデータストリームを空間的にプリコーディングすることによって達成される場合がある。セルの端部において良好なカバレージを達成するために、シングルストリームビームフォーミング伝送が送信ダイバーシティと組み合わせて使用されてもよい。
【００６６】
一般に、n個の送信アンテナを利用するMIMOシステムの場合、同じチャネル化コードを利用して同じキャリアを通じてn個のトランスポートブロックが同時に送信されてもよい。n個の送信アンテナを介して送信されるそれぞれに異なるトランスポートブロックは、同じ変調およびコーディング方式を有してもあるいは互いに異なる変調およびコーディング方式を有してもよいことに留意されたい。
【００６７】
一方、単入力多出力(SIMO)は一般に、単一の送信アンテナ(チャネルへの単一の入力)および複数の受信アンテナ(チャネルからの複数の出力)を利用するシステムを指す。したがって、SIMOシステムでは、単一のトランスポートブロックがそれぞれのキャリアを通じて送信される。
【００６８】
図8を参照すると、UTRANアーキテクチャにおけるアクセスネットワーク600が示されている。多元接続ワイヤレス通信システムは、セル602、604、および606を含む複数のセルラー領域(セル)を含み、セルの各々は、1つまたは複数のセクタを含む場合がある。複数のセクタは、アンテナのグループによって形成することができ、各アンテナがセルの一部分にあるUEとの通信する役割を果たす。たとえば、セル602において、アンテナグループ612、614、および616は、各々異なるセクタに対応する場合がある。セル604内で、アンテナグループ618、620、および622は各々、異なるセクタに対応する。セル606内で、アンテナグループ624、626、および628は各々、異なるセクタに対応する。セル602、604および606は、各セル602、604または606の1つまたは複数のセクタと通信していてもよい、いくつかのワイヤレス通信デバイス、たとえばユーザ機器またはUEを含み得る。たとえば、UE630および632は、Node B642と通信していてもよく、UE634および636は、Node B644と通信していてもよく、UE638および640は、Node B646と通信していてもよい。ここで、各Node B642、644、646は、それぞれのセル602、604、および606の中のすべてのUE630、632、634、636、638、640のために、CN504(図7参照)へのアクセスポイントを実現するように構成される。UE630、632、634、636、638、640は、セル選択構成要素30を実行するように構成されたUE11(図1)に相当してもよい。
【００６９】
UE634がセル604における図示したロケーションからセル606に移動するとき、UE634との通信がソースセルと呼ばれることがあるセル604からターゲットセルと呼ばれることがあるセル606に移行する、サービングセル変更(SCC)またはハンドオーバが生じる場合がある。UE634において、それぞれのセルに対応するNode Bにおいて、無線ネットワークコントローラ206(図2参照)において、またはワイヤレスネットワークにおける別の適切なノードにおいて、ハンドオーバ手順の管理が生じる場合がある。たとえば、ソースセル604との呼の間、または任意の他の時間において、UE634は、ソースセル604の様々なパラメータならびにセル606および602などの隣接セルの様々なパラメータを監視してもよい。さらに、これらのパラメータの品質に応じて、UE634は、隣接セルのうちの1つまたは複数との通信を維持してもよい。この時間中に、UE634は、アクティブセット、すなわち、UE634が同時に接続されるセルのリストを維持してもよい(すなわち、ダウンリンク専用物理チャネルDPCHまたはフラクショナルダウンリンク専用物理チャネルF-DPCHをUE634に現在割り当てているUTRAセルが、アクティブセットを構成してもよい)。
【００７０】
アクセスネットワーク600によって使用される変調および多元接続方式は、運用されている具体的な電気通信規格に応じて異なってもよい。例として、規格には、エボリューションデータオプティマイズド(EV-DO)またはウルトラモバイルブロードバンド(UMB)を含めてもよい。EV-DOおよびUMBは、CDMA2000規格ファミリーの一部として第3世代パートナーシッププロジェクト2(3GPP2)によって公表されたエアインターフェース規格であり、CDMAを利用して移動局がブロードバンドインターネットアクセスを行うのを可能にする。規格は代替的に、広帯域CDMA(W-CDMA)およびTD-SCDMAなどのCDMAの他の変形形態を用いるユニバーサル地上波無線アクセス(UTRA)、TDMAを用いるモバイル通信用グローバルシステム(GSM(登録商標))、ならびにOFDMAを用いる発展型UTRA(E-UTRA)、ウルトラモバイルブロードバンド(UMB)、IEEE 802.11(Wi-Fi)、IEEE 802.16(WiMAX)、IEEE 802.20、およびFlash-OFDMであってもよい。UTRA、E-UTRA、UMTS、LTE、LTEアドバンスト、およびGSM(登録商標)は、3GPP団体による文書に記載されている。CDMA2000およびUMBは、3GPP2団体による文書に記載されている。利用される実際のワイヤレス通信規格および多元接続技術は、具体的な適用例およびシステムに課された全体的な設計制約に依存する。
【００７１】
無線プロトコルアーキテクチャは、具体的な適用例に応じて様々な形態を取ってもよい。ここで、図9を参照しながらHSPAシステムに関する一例を提示する。
【００７２】
図9を参照すると、例示的な無線プロトコルアーキテクチャ700は、ユーザ機器(UE)またはNode B/基地局のユーザプレーン702および制御プレーン704に関する。たとえば、アーキテクチャ700は、セル選択構成要素30を実行するように構成されたUE11(図1)などのUEに含まれてもよい。UEおよびNode Bの無線プロトコルアーキテクチャ700は、レイヤ1 706、レイヤ2 708、およびレイヤ3 710という3つのレイヤで示されている。レイヤ1 706は最も下のレイヤであり、様々な物理レイヤの信号処理機能を実施する。したがって、レイヤ1 706は、物理層707を含む。レイヤ2(L2レイヤ)708は、物理レイヤ707の上にあり、物理レイヤ707を介したUEとNode Bとの間のリンクの役割を果たす。レイヤ3(L3レイヤ)710は、無線リソース制御(RRC)サブレイヤ715を含む。RRCサブレイヤ715は、UEとUTRANとの間のレイヤ3の制御プレーンシグナリングに対処する。
【００７３】
ユーザプレーンでは、L2レイヤ708は、媒体アクセス制御(MAC)サブレイヤ709、無線リンク制御(RLC)サブレイヤ711、およびパケットデータコンバージェンスプロトコル(PDCP)サブレイヤ713を含み、これらは、ネットワーク側のNode Bにおいて終端する。図示されていないが、UEは、ネットワーク側のPDNゲートウェイで終端するネットワークレイヤ(たとえば、IPレイヤ)、および接続の他端(たとえば、遠端のUE、サーバなど)で終端するアプリケーションレイヤを含む、L2レイヤ708の上のいくつかの上位レイヤを有してもよい。
【００７４】
PDCPサブレイヤ713は、異なる無線ベアラと論理チャネルとの間で多重化を行う。PDCPサブレイヤ713はまた、無線送信のオーバーヘッドを低減するための上位レイヤデータパケットのヘッダ圧縮、データパケットの暗号化によるセキュリティ、およびNode B間のUEのハンドオーバサポートを実現する。RLCサブレイヤ711は、上位レイヤデータパケットのセグメント化および再アセンブリ、紛失したデータパケットの再送信、ならびに、ハイブリッド自動再送要求(HARQ)による順序の狂った受信を補償するデータパケットの並べ替えを実現する。MACサブレイヤ709は、論理チャネルとトランスポートチャネルとの間の多重化を実現する。MACサブレイヤ709はまた、1つのセルの中の様々な無線リソース(たとえば、リソースブロック)をUEの間で割り振る役割を果たす。MACサブレイヤ709は、HARQ演算を行う役割を果たす。
【００７５】
図10は、UE850と通信しているNode B810のブロック図であり、Node B810は図7のNode B508であってもよく、UE850は、本明細書において説明するアクションを実行するためのセル選択構成要素30を含む図7のUE510であってよい。ダウンリンク通信において、送信プロセッサ820は、データソース812からデータを受信し、コントローラ/プロセッサ840から制御信号を受信してもよい。送信プロセッサ820は、データおよび制御信号、ならびに基準信号(たとえば、パイロット信号)のための様々な信号処理機能を実現する。たとえば、送信プロセッサ820は、誤り検出のための巡回冗長検査(CRC)コード、順方向誤り訂正(FEC)を容易にするためのコーディングおよびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づく信号コンステレーションへのマッピング、直交可変拡散率(OVSF)による拡散、ならびに、一連のシンボルを生成するためのスクランブリングコードとの乗算を行ってもよい。チャネルプロセッサ844からのチャネル推定値は、送信プロセッサ820のためのコーディング方式、変調方式、拡散方式、および/またはスクランブル方式を決定するために、コントローラ/プロセッサ840によって使用されてもよい。これらのチャネル推定値は、UE850によって送信される基準信号から導出されてもよく、あるいはUE850からのフィードバックから導出されてもよい。送信プロセッサ820によって生成されたシンボルは、フレーム構造を生成するために、送信フレームプロセッサ830に供給される。送信フレームプロセッサ830は、コントローラ/プロセッサ840からの情報によってシンボルを多重化することによって、このフレーム構造を作成し、一連のフレームが得られる。次いで、これらのフレームは送信機832に与えられ、送信機832は、アンテナ834を通じたワイヤレス媒体によるダウンリンク送信のために、増幅、フィルタリング、およびキャリア上へのフレームの変調を含む、様々な信号調整機能を実現する。アンテナ834は、たとえば、ビームステアリング双方向適応アンテナアレイまたは他の同様のビーム技術を含む、1つもしくは複数のアンテナを含んでもよい。
【００７６】
UE850において、受信機854は、アンテナ852を通じてダウンリンク送信を受信し、その送信を処理してキャリア上に変調された情報を復元する。受信機854によって復元された情報は、受信フレームプロセッサ860に与えられ、受信フレームプロセッサ860は、各フレームを解析し、フレームからの情報をチャネルプロセッサ894に与え、データ、制御信号および基準信号を受信プロセッサ870に与える。次いで、受信プロセッサ870は、Node B810中の送信プロセッサ820によって実行される処理の逆を実行する。より具体的には、受信プロセッサ870は、シンボルを逆スクランブルおよび逆拡散し、次いで、変調方式に基づいて、Node B810によって送信された、最も可能性が高い信号コンスタレーションポイントを決定する。これらの軟判定は、チャネルプロセッサ894によって計算されたチャネル推定値に基づいてもよい。次いで、軟判定は、データ、制御信号、および基準信号を復元するために、復号されデインターリーブされる。その後、フレームの復号に成功したかどうかを判定するために、CRCコードが検査される。復号に成功したフレームによって搬送されたデータは、次いで、データシンク872に供給され、データシンク872は、UE850内で動作するアプリケーションおよび/または様々なユーザインターフェース(たとえば、ディスプレイ)に相当する。復号に成功したフレームによって搬送される制御信号は、コントローラ/プロセッサ890に供給される。受信プロセッサ870によるフレームの復号が成功しなかったとき、コントローラ/プロセッサ890は、これらのフレームのための再送信要求をサポートするために、肯定応答(ACK)および/または否定応答(NACK)プロトコルを使用することもできる。
【００７７】
アップリンクにおいて、データソース878からのデータおよびコントローラ/プロセッサ890からの制御信号は、送信プロセッサ880に与えられる。データソース878は、UE850および種々のユーザインターフェース(たとえば、キーボード)において実行されているアプリケーションに相当してもよい。Node B810によるダウンリンク送信に関して説明した機能と同様に、送信プロセッサ880は、CRCコード、FECを容易にするためのコーディングおよびインターリービング、信号コンスタレーションへのマッピング、OVSFによる拡散、ならびに一連のシンボルを生成するためのスクランブリングを含む、様々な信号処理機能を実現する。Node B810によって送信される基準信号から、またはNode B810によって送信されるミッドアンブル中に含まれるフィードバックから、チャネルプロセッサ894によって導出されるチャネル推定値は、適切なコーディング方式、変調方式、拡散方式、および/またはスクランブリング方式を選択するために使用されてもよい。送信プロセッサ880によって生成されたシンボルは、フレーム構造を作成するために、送信フレームプロセッサ882に供給される。送信フレームプロセッサ882は、コントローラ/プロセッサ890からの情報によってシンボルを多重化することによって、このフレーム構造を作成し、一連のフレームが得られる。次いで、これらのフレームは送信機856に与えられ、送信機856は、アンテナ852を通じたワイヤレス媒体によるアップリンク送信のために、増幅、フィルタリング、およびキャリア上へのフレームの変調を含む、様々な信号調整機能を実現する。
【００７８】
アップリンク送信は、UE850における受信機機能に関連して説明されたものと同様の方式で、Node B810において処理される。受信機835は、アンテナ834を通じてアップリンク送信を受信し、送信を処理してキャリア上に変調された情報を復元する。受信機835によって復元された情報は、受信フレームプロセッサ836に与えられ、受信フレームプロセッサ836は、各フレームを解析し、フレームからの情報をチャネルプロセッサ844に与え、データ、制御信号、および基準信号を受信プロセッサ838に与える。受信プロセッサ838は、UE850中の送信プロセッサ880によって実行される処理の逆を実行する。首尾よく復号されたフレームによって搬送されたデータおよび制御信号は、次いで、それぞれ、データシンク839とコントローラ/プロセッサとに供給され得る。フレームのいくつかが受信プロセッサによって首尾よく復号されなかった場合、コントローラ/プロセッサ840は、これらのフレームのための再送信要求をサポートするために、肯定応答(ACK)および/または否定応答(NACK)プロトコルを使用してもよい。
【００７９】
コントローラ/プロセッサ840および890は、それぞれ、Node B810とUE850とにおける動作を指示するために使用されてもよい。たとえば、コントローラ/プロセッサ840および890は、タイミング、周辺機器インターフェース、電圧レギュレーション、電力管理、および他の制御機能を含む、様々な機能を実現する場合がある。メモリ842および892のコンピュータ可読媒体は、それぞれ、Node B810およびUE850のためのデータおよびソフトウェアを記憶してもよい。Node B810におけるスケジューラ/プロセッサ846は、リソースをUEに割り振り、UEのためのダウンリンク送信および/またはアップリンク送信をスケジュールするために使用されてもよい。
【００８０】
通信システムのいくつかの態様をW-CDMAシステムを参照して提示した。当業者が容易に諒解するように、本開示全体にわたって説明する様々な態様は、他の電気通信システム、ネットワークアーキテクチャ、および通信規格に拡張されてもよい。
【００８１】
例として、様々な態様は、TD-SCDMA、高速ダウンリンクパケットアクセス(HSDPA)、高速アップリンクパケットアクセス(HSUPA)、高速パケットアクセスプラス(HSPA+)およびTD-CDMAなどの他のUMTSシステムに拡張されてもよい。様々な態様はまた、ロングタームエボリューション(LTE)(FDD、TDD、またはこれら両方のモードの)、LTEアドバンスト(LTE-A)(FDD、TDD、またはこれら両方のモードの)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、ウルトラワイドバンド(UWB)、Bluetooth(登録商標)、および/または他の適切なシステムを利用するシステムに拡張されてもよい。利用される実際の電気通信標準規格、ネットワークアーキテクチャ、および/または通信規格は、具体的な用途、およびシステムに課される全体的な設計制約によって決まる。
【００８２】
本開示の様々な態様によれば、要素、または要素の任意の部分、または要素の任意の組合せは、1つまたは複数のプロセッサを含む「処理システム」によって実装されてもよい。プロセッサの例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の適切なハードウェアがある。処理システム内の1つまたは複数のプロセッサは、ソフトウェアを実行してもよい。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。ソフトウェアは、コンピュータ可読媒体上に存在してもよい。コンピュータ可読媒体は、非一時的コンピュータ可読媒体であってもよい。非一時的コンピュータ可読媒体は、例として、磁気記憶デバイス(たとえば、ハードディスク、フロッピーディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびに、コンピュータによってアクセスされ、読み取られてもよいソフトウェアおよび/または命令を記憶するための任意の他の適切な媒体を含む。コンピュータ可読媒体は、例として、搬送波、伝送線路、ならびに、コンピュータによってアクセスされ、読み取られ得るソフトウェアおよび/または命令を送信するための任意の他の適切な媒体も含んでもよい。コンピュ
ータ可読媒体は、処理システム中に存在するか、処理システムの外部に存在するか、または処理システムを含む複数のエンティティにわたって分散される場合がある。コンピュータ可読媒体は、コンピュータプログラム製品において具現化されてもよい。例として、コンピュータプログラム製品は、パッケージング材料の中のコンピュータ可読媒体を含んでもよい。当業者は、具体的な適用例および全体的なシステムに課された設計制約全体に応じて、本開示全体にわたって提示された、説明した機能を最善の形で実施する方法を認識するであろう。
【００８３】
開示された方法におけるステップの具体的な順序または階層は、例示的なプロセスの例示であることを理解されたい。設計の選好に基づいて、方法におけるステップの具体的な順序または階層は再構成されてもよいことを理解されたい。添付の方法クレームは、様々なステップの要素を例示的な順序で提示したものであり、クレーム内で具体的に記載されない限り、提示された具体的な順序または階層に限定されることを意図するものではない。
【００８４】
上記の説明は、本明細書で説明する様々な態様を当業者が実践できるようにするために与えられている。これらの態様に対する様々な変更形態は、当業者に容易に明らかになり、本明細書において規定される一般原理は、他の態様に適用される場合がある。したがって、特許請求の範囲は本明細書において示される態様に限定されることを意図するものではなく、特許請求の範囲の文言と一致するすべての範囲を許容すべきであり、単数の要素への言及は、「唯一の」と明記されない限り、「唯一の」ではなく、「1つまたは複数の」を意味することを意図している。別段に明記されていない限り、「いくつかの」という用語は1つまたは複数の、を指す。項目のリスト「のうちの少なくとも1つ」について言及する句は、単一のメンバーを含むそれらの項目の任意の組合せを指す。一例として、「a、b、またはcのうちの少なくとも1つ」は、a、b、c、aおよびb、aおよびc、bおよびc、ならびにa、bおよびcを含むことが意図される。当業者に知られているまたは後で当業者に知られることになる、本開示全体にわたって説明した様々な態様の要素の構造的および機能的なすべての均等物は、参照により本明細書に明確に組み込まれ、特許請求の範囲によって包含されることが意図される。さらに、本明細書に開示されたものは、そのような開示が特許請求の範囲において明示的に列挙されているかどうかにかかわらず、公に供されることは意図されていない。請求項のいかなる要素も、「のための手段」という句を使用して要素が明確に列挙されていない限り、または方法クレームの場合、「のためのステップ」という句を使用して要素が列挙されていない限り、米国特許法第112条第6項の規定に基づいて解釈されるべきではない。
【符号の説明】
【００８５】
10  ワイヤレス通信システム
11  UE
12  ネットワークエンティティ
16  ネットワーク
18  通信チャネル
20  通信チャネル
22  信号
24  SIB
30  セル選択構成要素
32  セル選択しきい値
34  最小ネットワークしきい値
36  最低品質レベル
38  最低受信レベル
40  測定構成要素
42  品質レベル
44  受信レベル
50  復号構成要素
52  成功指示
54  失敗指示
56  SIB3
58  SIB4
60  判定構成要素
62  セル選択基準チェック
64  成功指示
66  失敗指示
68  デルタ値
70  絶対最低品質しきい値
72  絶対最低受信しきい値
74  TDDセル
76  FDDセル
78  第1の範囲しきい値
80  第2の範囲しきい値
82  セル選択手順
100  方法
200  方法
300  概念図
302  セル選択Rxレベル値(Qrxlev)
304  しきい値
306  しきい値
308  しきい値
310  範囲制御しきい値
400  装置
402  バス
404  プロセッサ
406  コンピュータ可読媒体
408  バスインターフェース
410  トランシーバ
412  ユーザインターフェース
414  処理システム
500  UMTSシステム
502  UTRAN
504  CN
506  RNC
507  RNS
508  Node B
510  UE
511  USIM
512  MSC
514  GMSC
515  HLR
516  回路交換ネットワーク
518  SGSN
520  GGSN
522  パケットベースネットワーク
600  アクセスネットワーク
602  セル
604  セル
606  セル
612  アンテナグループ
614  アンテナグループ
616  アンテナグループ
618  アンテナグループ
620  アンテナグループ
622  アンテナグループ
624  アンテナグループ
626  アンテナグループ
628  アンテナグループ
630  UE
632  UE
634  UE
636  UE
638  UE
640  UE
642  Node B
644  Node B
646  Node B
700  無線プロトコルアーキテクチャ
702  ユーザプレーン
704  制御プレーン
706  レイヤ1
707  物理レイヤ
708  レイヤ2
709  MACサブレイヤ
710  レイヤ3
711  RLCサブレイヤ
713  PDCPサブレイヤ
715  RRCサブレイヤ
810  Node B
812  データソース
820  送信プロセッサ
830  送信フレームプロセッサ
832  トランスミッタ
834  アンテナ
835  レシーバ
836  受信フレームプロセッサ
838  受信プロセッサ
839  データシンク
840  コントローラ/プロセッサ
842  メモリ
844  チャネルプロセッサ
846  スケジューラ/プロセッサ
850  UE
852  アンテナ
854  レシーバ
856  トランスミッタ
860  受信フレームプロセッサ
870  受信プロセッサ
872  データシンク
878  データソース
880  送信プロセッサ
882  送信フレームプロセッサ
890  コントローラ/プロセッサ
892  メモリ
894  チャネルプロセッサ
【図１】
2017516393.tif 000003
【図２】
2017516393.tif 000004
【図３】
2017516393.tif 000005
【図４】
2017516393.tif 000006
【図５】
2017516393.tif 000007
【図６】
2017516393.tif 000008
【図７】
2017516393.tif 000009
【図８】
2017516393.tif 000010
【図９】
2017516393.tif 000011
【図１０】
2017516393.tif 000012
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
ユーザ機器(UE)とネットワークエンティティとの間の初期取得時間を短縮するためにワイヤレス通信システムにおいてセル選択を実行する方法であって、
セルからの信号を測定するステップと、
前記信号の1つまたは複数の測定値が複数のセル選択しきい値を含むセル選択基準チェックにおいて合格であるかそれとも不合格であるかを判定するステップであって、前記複数のセル選択しきい値は、前記信号の首尾よく復号された少なくとも1つのシステム情報ブロック(SIB)に含まれるステップと、
前記セル選択基準チェックにおいて不合格であったことに応答して、前記複数のセル選択しきい値が複数の対応する最小ネットワークしきい値の範囲内であるかどうかを判定するステップであって、前記最小ネットワークしきい値は、ネットワークオペレータまたはベンダーが確立したQqualminおよびQrxlevminに関する絶対最小値を含むステップと、
前記複数のセル選択しきい値が前記複数の対応する最小ネットワークしきい値の範囲内であると判定したことに応答して、前記セルに対してセル選択手順を実行するステップとを含む方法。
【請求項２】
前記セル選択基準チェックにおいて不合格であったことに応答して、前記複数のセル選択しきい値が前記複数の対応する最小ネットワークしきい値の範囲内であるかどうかを判定するステップは、前記複数のセル選択しきい値のうちの1つに関するデルタ値が設定されているかどうかを判定するステップを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項1に記載の方法。
【請求項３】
前記セルが周波数分割二重(FDD)セルであるかどうかを判定するステップと、
前記複数のセル選択しきい値の各々と前記複数の対応する最小ネットワークしきい値の各々との和の絶対値が複数の対応する範囲制御しきい値の各々以下であるかどうかを判定するステップであって、前記複数の対応する範囲制御しきい値は、UE能力、ネットワークプラニング、またはオペレータ設定のうちの少なくとも1つに基づいて設定されるステップとをさらに含む、請求項2に記載の方法。
【請求項４】
前記セルが時分割二重(TDD)セルであるかどうかを判定するステップと、
前記複数のセル選択しきい値のうちの前記1つと前記複数の対応する最小ネットワークしきい値のうちの前記1つとの和の絶対値が対応する範囲制御しきい値以下であるかどうかを判定するステップであって、前記対応する範囲制御しきい値は、UE能力、ネットワークプラニング、またはオペレータ設定のうちの少なくとも1つに基づいて設定されるステップとをさらに含む、請求項2に記載の方法。
【請求項５】
前記複数のセル選択しきい値が前記複数の対応する最小ネットワークしきい値の範囲外であると判定したことに応答して、前記セル選択手順の実行を試みる異なるセルの発見を試みるステップをさらに含む、請求項1に記載の方法。
【請求項６】
前記複数のセル選択しきい値は、前記セルにおける最低所要品質レベルと前記セルにおける最低所要受信レベルとを含む、請求項1に記載の方法。
【請求項７】
前記複数のセル選択しきい値のうちの前記1つは、前記セルにおける最低所要受信レベルを含む、請求項1に記載の方法。
【請求項８】
前記首尾よく復号された少なくとも1つのSIBは、システム情報ブロック3(SIB3)とシステム情報ブロック4(SIB4)のうちの少なくとも一方または両方に対応する、請求項1に記載の方法。
【請求項９】
前記首尾よく復号された少なくとも1つのSIBは、前記セルの1次共通制御物理チャネル(PCCPCH)上で首尾よく復号される、請求項1に記載の方法。
【請求項１０】
ユーザ機器(UE)とネットワークエンティティとの間の初期取得時間を短縮するためにワイヤレス通信システムにおいてセル選択を実行するためのコンピュータ実行可能コードを記憶するコンピュータ可読媒体であって、
セルからの信号を測定するためのコードと、
前記信号の1つまたは複数の測定値が複数のセル選択しきい値を含むセル選択基準チェックにおいて合格であるかそれとも不合格であるかを判定するためのコードであって、前記複数のセル選択しきい値は、前記信号の首尾よく復号された少なくとも1つのシステム情報ブロック(SIB)に含まれるコードと、
前記セル選択基準チェックにおいて不合格であったことに応答して、前記複数のセル選択しきい値が複数の対応する最小ネットワークしきい値の範囲内であるかどうかを判定するためのコードであって、前記最小ネットワークしきい値は、ネットワークオペレータまたはベンダーが確立したQqualminおよびQrxlevminに関する絶対最小値を含むコードと、
前記複数のセル選択しきい値が前記複数の対応する最小ネットワークしきい値の範囲内であると判定したことに応答して、前記セルに対してセル選択手順を実行するためのコードとを含むコンピュータ可読媒体。
【請求項１１】
前記セル選択基準チェックにおいて不合格であったことに応答して、前記複数のセル選択しきい値が前記複数の対応する最小ネットワークしきい値の範囲内であるかどうかを判定することは、前記複数のセル選択しきい値のうちの1つに関するデルタ値が設定されているかどうかを判定することを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項10に記載のコンピュータ可読媒体。
【請求項１２】
前記セルが周波数分割二重(FDD)セルであるかどうかを判定するためのコードと、
前記複数のセル選択しきい値の各々と前記複数の対応する最小ネットワークしきい値の各々との和の絶対値が複数の対応する範囲制御しきい値の各々以下であるかどうかを判定するためのコードであって、前記複数の対応する範囲制御しきい値は、UE能力、ネットワークプラニング、またはオペレータ設定のうちの少なくとも1つに基づいて設定されるコードとをさらに含む、請求項11に記載のコンピュータ可読媒体。
【請求項１３】
前記セルが時分割二重(TDD)セルであるかどうかを判定するためのコードと、
前記複数のセル選択しきい値のうちの前記1つと前記複数の対応する最小ネットワークしきい値のうちの前記1つとの和の絶対値が対応する範囲制御しきい値以下であるかどうかを判定するためのコードであって、前記対応する範囲制御しきい値は、UE能力、ネットワークプラニング、またはオペレータ設定のうちの少なくとも1つに基づいて設定されるコードとをさらに含む、請求項12に記載のコンピュータ可読媒体。
【請求項１４】
前記複数のセル選択しきい値が前記複数の対応する最小ネットワークしきい値の範囲外であると判定したことに応答して、前記セル選択手順の実行を試みる異なるセルの発見を試みるためのコードをさらに含む、請求項10に記載のコンピュータ可読媒体。
【請求項１５】
前記複数のセル選択しきい値は、前記セルにおける最低所要品質レベルと前記セルにおける最低所要受信レベルとを含み、前記複数のセル選択しきい値のうちの前記1つは、前記セルにおける最低所要受信レベルを含む、請求項10に記載のコンピュータ可読媒体。
【請求項１６】
ユーザ機器(UE)とネットワークエンティティとの間の初期取得時間を短縮するためにワイヤレス通信システムにおいてセル選択を実行するための装置であって、
セルからの信号を測定するための手段と、
前記信号の1つまたは複数の測定値が複数のセル選択しきい値を含むセル選択基準チェックにおいて合格であるかそれとも不合格であるかを判定するための手段であって、前記複数のセル選択しきい値は、前記信号の首尾よく復号された少なくとも1つのシステム情報ブロック(SIB)に含まれる手段と、
前記セル選択基準チェックにおいて不合格であったことに応答して、前記複数のセル選択しきい値が複数の対応する最小ネットワークしきい値の範囲内であるかどうかを判定するための手段であって、前記最小ネットワークしきい値は、ネットワークオペレータまたはベンダーが確立したQqualminおよびQrxlevminに関する絶対最小値を含む手段と、
前記複数のセル選択しきい値が前記複数の対応する最小ネットワークしきい値の範囲内であると判定したことに応答して、前記セルに対してセル選択手順を実行するための手段とを備える装置。
【請求項１７】
前記セル選択基準チェックにおいて不合格であったことに応答して、前記複数のセル選択しきい値が前記複数の対応する最小ネットワークしきい値の範囲内であるかどうかを判定することは、前記複数のセル選択しきい値のうちの1つに関するデルタ値が設定されているかどうかを判定することを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項16に記載の装置。
【請求項１８】
前記セルが周波数分割二重(FDD)セルであるかどうかを判定するための手段と、
前記複数のセル選択しきい値の各々と前記複数の対応する最小ネットワークしきい値の各々との和の絶対値が複数の対応する範囲制御しきい値の各々以下であるかどうかを判定するための手段であって、前記複数の対応する範囲制御しきい値は、UE能力、ネットワークプラニング、またはオペレータ設定のうちの少なくとも1つに基づいて設定される手段とをさらに備える、請求項17に記載の装置。
【請求項１９】
前記セルが時分割二重(TDD)セルであるかどうかを判定するための手段と、
前記複数のセル選択しきい値のうちの前記1つと前記複数の対応する最小ネットワークしきい値のうちの前記1つとの和の絶対値が対応する範囲制御しきい値以下であるかどうかを判定するための手段であって、前記対応する範囲制御しきい値は、UE能力、ネットワークプラニング、またはオペレータ設定のうちの少なくとも1つに基づいて設定される手段とをさらに備える、請求項17に記載の装置。
【請求項２０】
前記複数のセル選択しきい値が前記複数の対応する最小ネットワークしきい値の範囲外であると判定したことに応答して、前記セル選択手順の実行を試みる異なるセルの発見を試みるための手段をさらに備える、請求項16に記載の装置。
【請求項２１】
前記複数のセル選択しきい値は、前記セルにおける最低所要品質レベルと前記セルにおける最低所要受信レベルとを含み、前記複数のセル選択しきい値のうちの前記1つは、前記セルにおける最低所要受信レベルを含む、請求項16に記載の装置。
【請求項２２】
ユーザ機器(UE)とネットワークエンティティとの間の初期取得時間を短縮するためにワイヤレス通信システムにおいてセル選択を実行するための装置であって、
セルからの信号を測定するように構成された測定構成要素と、
前記信号の1つまたは複数の測定値が複数のセル選択しきい値を含むセル選択基準チェックにおいて合格であるかそれとも不合格であるかを判定するように構成された判定構成要素であって、前記複数のセル選択しきい値は、前記信号の首尾よく復号された少なくとも1つのシステム情報ブロック(SIB)に含まれ、
前記判定構成要素は、前記セル選択基準チェックにおいて不合格であったことに応答して、前記複数のセル選択しきい値が複数の対応する最小ネットワークしきい値の範囲内であるかどうかを判定し、前記最小ネットワークしきい値は、ネットワークオペレータまたはベンダーが確立したQqualminおよびQrxlevminに関する絶対最小値を含む、判定構成要素と、
前記複数のセル選択しきい値が前記複数の対応する最小ネットワークしきい値の範囲内であると判定したことに応答して、前記セルに対してセル選択手順を実行するように構成されたセル選択構成要素とを備える装置。
【請求項２３】
前記判定構成要素は、前記複数のセル選択しきい値のうちの1つに関するデルタ値が設定されているかどうかを判定するようにさらに構成され、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項22に記載の装置。
【請求項２４】
前記判定構成要素は、
前記セルが周波数分割二重(FDD)セルであるかどうかを判定することと、
前記複数のセル選択しきい値の各々と前記複数の対応する最小ネットワークしきい値の各々との和の絶対値が複数の対応する範囲制御しきい値の各々以下であるかどうかを判定することであって、前記複数の対応する範囲制御しきい値は、UE能力、ネットワークプラニング、またはオペレータ設定のうちの少なくとも1つに基づいて設定されることとを行うようにさらに構成される、請求項23に記載の装置。
【請求項２５】
前記判定構成要素は、
前記セルが時分割二重(TDD)セルであるかどうかを判定することと、
前記複数のセル選択しきい値のうちの前記1つと前記複数の対応する最小ネットワークしきい値のうちの前記1つとの和の絶対値が対応する範囲制御しきい値以下であるかどうかを判定することであって、前記対応する範囲制御しきい値は、UE能力、ネットワークプラニング、またはオペレータ設定のうちの少なくとも1つに基づいて設定されることとを行うようにさらに構成される、請求項23に記載の装置。
【請求項２６】
前記セル選択構成要素は、前記複数のセル選択しきい値が前記複数の対応する最小ネットワークしきい値の範囲外であると判定したことに応答して、前記セル選択手順の実行を試みる異なるセルの発見を試みるようにさらに構成される、請求項22に記載の装置。
【請求項２７】
前記複数のセル選択しきい値は、前記セルにおける最低所要品質レベルと前記セルにおける最低所要受信レベルとを含む、請求項22に記載の装置。
【請求項２８】
前記複数のセル選択しきい値のうちの前記1つは、前記セルにおける最低所要受信レベルを含む、請求項22に記載の装置。
【請求項２９】
前記首尾よく復号された少なくとも1つのSIBは、システム情報ブロック3(SIB3)とシステム情報ブロック4(SIB4)のうちの少なくとも一方または両方に対応する、請求項22に記載の装置。
【請求項３０】
前記首尾よく復号された少なくとも1つのSIBは、前記セルの1次共通制御物理チャネル(PCCPCH)上で首尾よく復号される、請求項22に記載の装置。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
ユーザ機器(UE)とネットワークエンティティとの間の初期取得時間を短縮するためにワイヤレス通信システムにおいてセル選択を実行する方法であって、
セルからの信号を測定するステップと、
前記信号の1つまたは複数の測定値が複数のセル選択しきい値を含むセル選択基準チェックにおいて合格であるかそれとも不合格であるかを判定するステップであって、前記複数のセル選択しきい値は、前記信号の首尾よく復号された少なくとも1つのシステム情報ブロック(SIB)に含まれるステップと、
前記セル選択基準チェックにおいて不合格であったことに応答して、前記複数のセル選択しきい値が複数の対応する最小ネットワークしきい値の範囲内であるかどうかを判定するステップであって、前記最小ネットワークしきい値は、ネットワークオペレータまたはベンダーが確立したQqualminおよびQrxlevminに関する絶対最小値を含むステップと、
前記複数のセル選択しきい値が前記複数の対応する最小ネットワークしきい値の範囲内であると判定したことに応答して、前記セルに対してセル選択手順を実行するステップとを含む方法。
【請求項２】
前記セル選択基準チェックにおいて不合格であったことに応答して、前記複数のセル選択しきい値が前記複数の対応する最小ネットワークしきい値の範囲内であるかどうかを判定するステップは、前記複数のセル選択しきい値のうちの1つに関するデルタ値が設定されているかどうかを判定するステップを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項1に記載の方法。
【請求項３】
前記セルが周波数分割二重(FDD)セルであるかどうかを判定するステップと、
前記複数のセル選択しきい値の各々と前記複数の対応する最小ネットワークしきい値の各々との和の絶対値が複数の対応する範囲制御しきい値の各々以下であるかどうかを判定するステップであって、前記複数の対応する範囲制御しきい値は、UE能力、ネットワークプラニング、またはオペレータ設定のうちの少なくとも1つに基づいて設定されるステップとをさらに含む、請求項2に記載の方法。
【請求項４】
前記セルが時分割二重(TDD)セルであるかどうかを判定するステップと、
前記複数のセル選択しきい値のうちの前記1つと前記複数の対応する最小ネットワークしきい値のうちの前記1つとの和の絶対値が対応する範囲制御しきい値以下であるかどうかを判定するステップであって、前記対応する範囲制御しきい値は、UE能力、ネットワークプラニング、またはオペレータ設定のうちの少なくとも1つに基づいて設定されるステップとをさらに含む、請求項2に記載の方法。
【請求項５】
前記複数のセル選択しきい値が前記複数の対応する最小ネットワークしきい値の範囲外であると判定したことに応答して、前記セル選択手順の実行を試みる異なるセルの発見を試みるステップをさらに含む、請求項1に記載の方法。
【請求項６】
前記複数のセル選択しきい値は、前記セルにおける最低所要品質レベルと前記セルにおける最低所要受信レベルとを含む、請求項1に記載の方法。
【請求項７】
前記複数のセル選択しきい値のうちの1つは、前記セルにおける最低所要受信レベルを含む、請求項1に記載の方法。
【請求項８】
前記首尾よく復号された少なくとも1つのSIBは、システム情報ブロック3(SIB3)とシステム情報ブロック4(SIB4)のうちの少なくとも一方または両方に対応する、請求項1に記載の方法。
【請求項９】
前記首尾よく復号された少なくとも1つのSIBは、前記セルの1次共通制御物理チャネル(PCCPCH)上で首尾よく復号される、請求項1に記載の方法。
【請求項１０】
ユーザ機器(UE)とネットワークエンティティとの間の初期取得時間を短縮するためにワイヤレス通信システムにおいてセル選択を実行するためのコンピュータ実行可能コードを記憶する非一時的コンピュータ可読媒体であって、
セルからの信号を測定するためのコードと、
前記信号の1つまたは複数の測定値が複数のセル選択しきい値を含むセル選択基準チェックにおいて合格であるかそれとも不合格であるかを判定するためのコードであって、前記複数のセル選択しきい値は、前記信号の首尾よく復号された少なくとも1つのシステム情報ブロック(SIB)に含まれるコードと、
前記セル選択基準チェックにおいて不合格であったことに応答して、前記複数のセル選択しきい値が複数の対応する最小ネットワークしきい値の範囲内であるかどうかを判定するためのコードであって、前記最小ネットワークしきい値は、ネットワークオペレータまたはベンダーが確立したQqualminおよびQrxlevminに関する絶対最小値を含むコードと、
前記複数のセル選択しきい値が前記複数の対応する最小ネットワークしきい値の範囲内であると判定したことに応答して、前記セルに対してセル選択手順を実行するためのコードとを含む非一時的コンピュータ可読媒体。
【請求項１１】
前記セル選択基準チェックにおいて不合格であったことに応答して、前記複数のセル選択しきい値が前記複数の対応する最小ネットワークしきい値の範囲内であるかどうかを判定することは、前記複数のセル選択しきい値のうちの1つに関するデルタ値が設定されているかどうかを判定することを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項10に記載の非一時的コンピュータ可読媒体。
【請求項１２】
前記セルが周波数分割二重(FDD)セルであるかどうかを判定するためのコードと、
前記複数のセル選択しきい値の各々と前記複数の対応する最小ネットワークしきい値の各々との和の絶対値が複数の対応する範囲制御しきい値の各々以下であるかどうかを判定するためのコードであって、前記複数の対応する範囲制御しきい値は、UE能力、ネットワークプラニング、またはオペレータ設定のうちの少なくとも1つに基づいて設定されるコードとをさらに含む、請求項11に記載の非一時的コンピュータ可読媒体。
【請求項１３】
前記セルが時分割二重(TDD)セルであるかどうかを判定するためのコードと、
前記複数のセル選択しきい値のうちの前記1つと前記複数の対応する最小ネットワークしきい値のうちの前記1つとの和の絶対値が対応する範囲制御しきい値以下であるかどうかを判定するためのコードであって、前記対応する範囲制御しきい値は、UE能力、ネットワークプラニング、またはオペレータ設定のうちの少なくとも1つに基づいて設定されるコードとをさらに含む、請求項12に記載のコンピュータ可読媒体。
【請求項１４】
前記複数のセル選択しきい値が前記複数の対応する最小ネットワークしきい値の範囲外であると判定したことに応答して、前記セル選択手順の実行を試みる異なるセルの発見を試みるためのコードをさらに含む、請求項10に記載の非一時的コンピュータ可読媒体。
【請求項１５】
前記複数のセル選択しきい値は、前記セルにおける最低所要品質レベルと前記セルにおける最低所要受信レベルとを含み、前記複数のセル選択しきい値のうちの1つは、前記セルにおける最低所要受信レベルを含む、請求項10に記載の非一時的コンピュータ可読媒体。
【請求項１６】
ユーザ機器(UE)とネットワークエンティティとの間の初期取得時間を短縮するためにワイヤレス通信システムにおいてセル選択を実行するための装置であって、
セルからの信号を測定するための手段と、
前記信号の1つまたは複数の測定値が複数のセル選択しきい値を含むセル選択基準チェックにおいて合格であるかそれとも不合格であるかを判定するための手段であって、前記複数のセル選択しきい値は、前記信号の首尾よく復号された少なくとも1つのシステム情報ブロック(SIB)に含まれる手段と、
前記セル選択基準チェックにおいて不合格であったことに応答して、前記複数のセル選択しきい値が複数の対応する最小ネットワークしきい値の範囲内であるかどうかを判定するための手段であって、前記最小ネットワークしきい値は、ネットワークオペレータまたはベンダーが確立したQqualminおよびQrxlevminに関する絶対最小値を含む手段と、
前記複数のセル選択しきい値が前記複数の対応する最小ネットワークしきい値の範囲内であると判定したことに応答して、前記セルに対してセル選択手順を実行するための手段とを備える装置。
【請求項１７】
前記セル選択基準チェックにおいて不合格であったことに応答して、前記複数のセル選択しきい値が前記複数の対応する最小ネットワークしきい値の範囲内であるかどうかを判定することは、前記複数のセル選択しきい値のうちの1つに関するデルタ値が設定されているかどうかを判定することを含み、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項16に記載の装置。
【請求項１８】
前記セルが周波数分割二重(FDD)セルであるかどうかを判定するための手段と、
前記複数のセル選択しきい値の各々と前記複数の対応する最小ネットワークしきい値の各々との和の絶対値が複数の対応する範囲制御しきい値の各々以下であるかどうかを判定するための手段であって、前記複数の対応する範囲制御しきい値は、UE能力、ネットワークプラニング、またはオペレータ設定のうちの少なくとも1つに基づいて設定される手段とをさらに備える、請求項17に記載の装置。
【請求項１９】
前記セルが時分割二重(TDD)セルであるかどうかを判定するための手段と、
前記複数のセル選択しきい値のうちの前記1つと前記複数の対応する最小ネットワークしきい値のうちの前記1つとの和の絶対値が対応する範囲制御しきい値以下であるかどうかを判定するための手段であって、前記対応する範囲制御しきい値は、UE能力、ネットワークプラニング、またはオペレータ設定のうちの少なくとも1つに基づいて設定される手段とをさらに備える、請求項17に記載の装置。
【請求項２０】
前記複数のセル選択しきい値が前記複数の対応する最小ネットワークしきい値の範囲外であると判定したことに応答して、前記セル選択手順の実行を試みる異なるセルの発見を試みるための手段をさらに備える、請求項16に記載の装置。
【請求項２１】
前記複数のセル選択しきい値は、前記セルにおける最低所要品質レベルと前記セルにおける最低所要受信レベルとを含み、前記複数のセル選択しきい値のうちの1つは、前記セルにおける最低所要受信レベルを含む、請求項16に記載の装置。
【請求項２２】
ユーザ機器(UE)とネットワークエンティティとの間の初期取得時間を短縮するためにワイヤレス通信システムにおいてセル選択を実行するための装置であって、
命令を記憶するメモリと、
前記メモリに結合される少なくとも1つのプロセッサとを含み、前記少なくとも1つのプロセッサおよび前記メモリが、
セルからの信号を測定することと、
前記信号の1つまたは複数の測定値が複数のセル選択しきい値を含むセル選択基準チェックにおいて合格であるかそれとも不合格であるかを判定することであって、前記複数のセル選択しきい値は、前記信号の首尾よく復号された少なくとも1つのシステム情報ブロック(SIB)に含まれる、ことと、
前記セル選択基準チェックにおいて不合格であったことに応答して、前記複数のセル選択しきい値が複数の対応する最小ネットワークしきい値の範囲内であるかどうかを判定することであって、前記最小ネットワークしきい値は、ネットワークオペレータまたはベンダーが確立したQqualminおよびQrxlevminに関する絶対最小値を含む、ことと、
前記複数のセル選択しきい値が前記複数の対応する最小ネットワークしきい値の範囲内であると判定したことに応答して、前記セルに対してセル選択手順を実行することと
を行うように構成される、装置。
【請求項２３】
前記プロセッサは、前記複数のセル選択しきい値のうちの1つに関するデルタ値が設定されているかどうかを判定するようにさらに構成され、
前記複数のセル選択しきい値のうちの前記1つに関する前記デルタ値が設定されているときに、前記複数の対応する最小ネットワークしきい値のうちの1つは、絶対最小ネットワークしきい値と前記複数のセル選択しきい値のうちの前記1つに関する前記デルタ値との和を含み、
前記複数のセル選択しきい値のうちの前記1つに関する前記デルタ値が設定されていないときに、前記複数の対応する最小ネットワークしきい値のうちの1つは、絶対最小ネットワークしきい値を含む、請求項22に記載の装置。
【請求項２４】
前記プロセッサは、
前記セルが周波数分割二重(FDD)セルであるかどうかを判定することと、
前記複数のセル選択しきい値の各々と前記複数の対応する最小ネットワークしきい値の各々との和の絶対値が複数の対応する範囲制御しきい値の各々以下であるかどうかを判定することであって、前記複数の対応する範囲制御しきい値は、UE能力、ネットワークプラニング、またはオペレータ設定のうちの少なくとも1つに基づいて設定されることとを行うようにさらに構成される、請求項23に記載の装置。
【請求項２５】
前記プロセッサは、
前記セルが時分割二重(TDD)セルであるかどうかを判定することと、
前記複数のセル選択しきい値のうちの前記1つと前記複数の対応する最小ネットワークしきい値のうちの前記1つとの和の絶対値が対応する範囲制御しきい値以下であるかどうかを判定することであって、前記対応する範囲制御しきい値は、UE能力、ネットワークプラニング、またはオペレータ設定のうちの少なくとも1つに基づいて設定されることとを行うようにさらに構成される、請求項23に記載の装置。
【請求項２６】
前記プロセッサは、前記複数のセル選択しきい値が前記複数の対応する最小ネットワークしきい値の範囲外であると判定したことに応答して、前記セル選択手順の実行を試みる異なるセルの発見を試みるようにさらに構成される、請求項22に記載の装置。
【請求項２７】
前記複数のセル選択しきい値は、前記セルにおける最低所要品質レベルと前記セルにおける最低所要受信レベルとを含む、請求項22に記載の装置。
【請求項２８】
前記複数のセル選択しきい値のうちの1つは、前記セルにおける最低所要受信レベルを含む、請求項22に記載の装置。
【請求項２９】
前記首尾よく復号された少なくとも1つのSIBは、システム情報ブロック3(SIB3)とシステム情報ブロック4(SIB4)のうちの少なくとも一方または両方に対応する、請求項22に記載の装置。
【請求項３０】
前記首尾よく復号された少なくとも1つのSIBは、前記セルの1次共通制御物理チャネル(PCCPCH)上で首尾よく復号される、請求項22に記載の装置。
【国際調査報告】
2017516393.tif 000013
2017516393.tif 000014
2017516393.tif 000015